(57)【要約】【課題】発信側や受信側の状態の変化に応じて留守番電話のメッセージの再生や消去を行うことができる留守番電話システムを提供する。【解決手段】電話端末５０ａの判定部５７ａは、は、再生条件情報および消去条件情報と端末状態情報に基づいて、再生可否情報および消去可否情報を生成する。サービス制御装置２０の判定部２４は、再生可否情報および消去可否情報に基づいてメッセージの再生および消去の少なくとも一方を許可するか否かを判定する。この判定結果により、メッセージの再生を許可すると判定された場合、電話端末５０ａの電話部５１ａにより取得されたメッセージを、電話端末５０ｂの電話部５１ｂから再生させる。一方、メッセージの消去を許可すると判定された場合、上記メッセージを消去する。【選択図】  図２
2009246647.tif 000002
【特許請求の範囲】
【請求項１】
第１の電話識別情報が付与された第１の電話端末と、第２の電話識別情報が付与された第２の電話端末と、前記第１の電話端末および前記第２の電話端末と通信可能なサービス制御装置とを備えた留守番電話制御システムであって、
前記第１の電話端末は、
電話音声を入出力し、留守番電話のメッセージを取得する第１の電話部と、
前記電話音声の信号情報および各種情報を送受信する第１の送受信部と、
前記メッセージの再生を許可する条件を表す第１の再生条件情報および前記メッセージの消去を許可する条件を表す第１の消去条件情報の少なくとも一方を生成する第１の条件情報生成部と、
前記第１の再生条件情報および前記第１の消去条件情報の少なくとも一方を格納する第１の情報格納部と、
前記第１の電話端末の状態を表す第１の端末状態情報を生成する第１の端末情報生成部と、
前記第１の再生条件情報および前記第１の消去条件情報の少なくとも一方と前記第１の端末状態情報とに基づいて、前記メッセージの再生の可否を表す第１の再生可否情報および前記メッセージの消去の可否を表す第１の消去可否情報のうち少なくとも一方を生成する第１の判定部と、
前記第１の電話識別情報および前記メッセージ、並びに、前記第１の判定部により生成された前記第１の再生可否情報および前記第１の消去可否情報の少なくとも一方および前記第１の電話識別情報を、前記第１の送受信部により前記サービス制御装置に送信させる第１の情報処理部と
を備え、
前記第２の電話端末は、
電話音声を入出力する第２の電話部と
前記電話音声の信号情報および各種情報を送受信するとともに、前記第２の電話識別情報を前記サービス制御装置に送信する第２の送受信部と
を備え、
前記サービス制御装置は、
前記第１の電話端末および前記第２の電話端末と各種情報の送受信を行う第３の送受信部と、
この第３の送受信部により、前記第１の電話端末から受信した、前記メッセージと前記第１の電話識別情報、並びに、前記第１の再生可否情報および前記第１の消去可否情報の少なくとも一方と前記第１の電話識別情報を格納するとともに、前記第２の電話端末から受信した前記第２の電話識別情報を格納する第３の格納部と、
前記第１の再生可否情報および前記第１の消去可否情報の少なくとも一方に基づき、前記メッセージの再生および消去の少なくとも一方を許可するか否かを判定する第３の判定部と、
この第３の判定部により、前記メッセージの再生を許可すると判定された場合、前記メッセージを前記第３の送受信部により前記第２の電話識別情報に基づいて前記第２の電話端末に送信し、前記メッセージの消去を許可すると判定された場合、前記メッセージを前記第３の格納部から消去する第３の情報処理部と
を備え、
前記第２の電話端末の前記第２の電話部は、前記サービス制御装置から受信した前記メッセージを出力する
ことを特徴とする留守番電話制御システム。
【請求項２】
第１の電話識別情報が付与された第１の電話端末と、第２の電話識別情報が付与された第２の電話端末と、前記第１の電話端末および前記第２の電話端末と通信可能なサービス制御装置とを備えた留守番電話制御システムであって、
前記第１の電話端末は、
電話音声を入出力し、留守番電話のメッセージを取得する第１の電話部と、
前記電話音声の信号情報および各種情報を送受信する第１の送受信部と、
前記メッセージの再生を許可する条件を表す第１の再生条件情報と前記メッセージの消去を許可する条件を表す第１の消去条件情報の少なくとも一方を生成する第１の条件情報生成部と、
前記第１の電話端末の状態を表す第１の端末状態情報を生成する第１の端末情報生成部と、
前記第１の電話識別情報、前記第１の再生条件情報および前記第１の消去条件情報の少なくとも一方並びに前記メッセージと、前記第１の電話識別情報および前記第１の端末状態情報とを、前記第１の送受信部により前記サービス制御装置に送信させる第１の情報処理部と
を備え、
前記第２の電話端末は、
電話音声を入出力する第２の電話部と、
前記電話音声の信号情報および各種情報を送受信するとともに、前記第２の電話識別情報を前記サービス制御装置に送信する第２の送受信部と、
前記サービス制御装置は、
前記第１の電話端末および前記第２の電話端末と各種情報の送受信を行う第３の送受信部と、
この第３の送受信部により、前記第１の電話端末から受信した、前記第１の電話識別情報、前記第１の再生条件情報および前記第１の消去条件情報の少なくとも一方並びに前記メッセージと、前記第１の電話識別情報および前記第１の端末状態情報とを格納するとともに、前記第２の電話端末から受信した前記第２の電話識別情報を格納する第３の格納部と、
前記第１の再生条件情報および前記第１の消去条件情報の少なくとも一方と前記第１の端末状態情報とに基づいて、前記メッセージの再生の可否を表す第１の再生可否情報および前記メッセージの消去の可否を表す第１の消去可否情報のうち少なくとも一方を生成する第１の判定部と、
前記第１の再生可否情報および前記第１の消去可否情報の少なくとも一方に基づき、前記メッセージの再生および消去の少なくとも一方を許可するか否かを判定する第３の判定部と、
この第３の判定部により、前記メッセージの再生を許可すると判定された場合、前記メッセージを前記第３の送受信部により前記第２の電話識別情報に基づいて前記第２の電話端末に送信し、前記メッセージの消去を許可すると判定された場合、前記メッセージを前記第３の格納部から消去する第３の情報処理部と
を備え、
前記第２の電話端末の前記第２の電話部は、前記サービス制御装置から受信した前記メッセージを出力する
ことを特徴とする留守番電話制御システム。
【請求項３】
第１の電話識別情報が付与された第１の電話端末と、第２の電話識別情報が付与された第２の電話端末と、前記第１の電話端末および前記第２の電話端末と通信可能なサービス制御装置とを備えた留守番電話制御システムであって、
前記第１の電話端末は、
電話音声を入出力し、留守番電話のメッセージを取得する第１の電話部と、
前記電話音声の信号情報および各種情報を送受信する第１の送受信部と、
前記メッセージの再生を許可する条件を表す第１の再生条件情報と前記メッセージの消去を許可する条件を表す第１の消去条件情報の少なくとも一方を生成する第１の条件情報生成部と、
前記第１の再生条件情報および前記第１の消去条件情報の少なくとも一方を格納する第１の情報格納部と、
前記第１の電話端末の状態を表す第１の端末状態情報を生成する第１の端末情報生成部と、
前記第１の再生条件情報および前記第１の消去条件情報の少なくとも一方と前記第１の端末状態情報とに基づいて、前記メッセージの再生の可否を表す第１の再生可否情報および前記メッセージの消去の可否を表す第１の消去可否情報のうち少なくとも一方を生成する第１の判定部と、
前記第１の電話識別情報と前記メッセージ、および、前記第１の判定部により生成された前記第１の再生可否情報および前記第１の消去可否情報の少なくとも一方と前記第１の電話識別情報を、前記第１の送受信部により前記サービス制御装置に送信させる第１の情報処理部と
を備え、
前記サービス制御装置は、
前記第１の電話端末および前記第２の電話端末と各種情報の送受信を行う第３の送受信部と、
前記第３送受信部により、前記第１の電話端末から受信した、前記第１の電話識別情報と前記メッセージ、並びに、前記第１の再生可否情報および前記第１の消去可否情報の少なくとも一方と前記第１の電話識別情報を、第２の電話端末に転送する第３の情報処理部と
を備え
前記第２の電話端末は、
電話音声を入出力する第２の電話部と、
前記電話音声の信号情報および各種情報を送受信する第２の送受信部と、
この第２の送受信部により前記サービス制御装置から受信した、前記第１の電話識別情報と前記メッセージ、および、前記第１の再生可否情報および前記第１の消去可否情報の少なくとも一方と前記第１の電話識別情報を格納する第２の格納部と、
前記第１の再生可否情報および前記第１の消去可否情報の少なくとも一方に基づき、前記メッセージの再生および消去の少なくとも一方を許可するか否かを判定する第３の判定部と、
この第３の判定部により、前記メッセージの再生を許可すると判定された場合、前記メッセージを前記第２の電話部により再生させ、前記メッセージの消去を許可すると判定された場合、前記メッセージを前記第２の格納部から消去する第２の情報処理部と
を備えたことを特徴とする留守番電話制御システム。
【請求項４】
第１の電話識別情報が付与された第１の電話端末と、第２の電話識別情報が付与された第２の電話端末と、前記第１の電話端末および前記第２の電話端末と通信可能なサービス制御装置とを備えた留守番電話制御システムであって、
前記第１の電話端末は、
電話音声を入出力し、留守番電話のメッセージを取得する第１の電話部と、
音声通話の信号情報および各種情報を送受信する第１の送受信部と、
前記メッセージの再生を許可する条件を表す第１の再生条件情報と前記メッセージの消去を許可する条件を表す第１の消去条件情報の少なくとも一方を生成する第１の条件情報生成部と、
前記第１の再生条件情報および前記第１の消去条件情報の少なくとも一方を格納する第１の情報格納部と、
前記第１の電話端末の状態を表す第１の端末状態情報を生成する第１の端末情報生成部と、
前記第１の電話識別情報、前記第１の再生条件情報および前記第１の消去条件情報の少なくとも一方並びに前記メッセージと、前記第１の電話識別情報および前記第１の端末状態情報とを、前記第１の送受信部により前記サービス制御装置に送信させる第１の情報処理部と
を備え、
前記サービス制御装置は、
前記第１の電話端末および前記第２の電話端末と各種情報の送受信を行う第３の送受信部と、
この第３送受信部により前記第１の電話端末から受信した、前記第１の電話識別情報、前記第１の再生条件情報および前記第１の消去条件情報の少なくとも一方並びに前記メッセージと、前記第１の電話識別情報および前記第１の端末状態情報とを第２の電話端末に転送する第３の情報処理部と
を備え、
前記第２の電話端末は、
電話音声を入出力する第２の電話部と
前記電話音声の信号情報および各種情報を送受信する第２の送受信部と、
この第２の送受信部により前記サービス制御装置から受信した、前記第１の電話識別情報、前記メッセージ、前記第１の再生条件情報および前記第１の消去条件情報の少なくとも一方、並びに、前記第１の端末状態情報を格納する第２の格納部と、
前記第１の再生条件情報および前記第１の消去条件情報の少なくとも一方と前記第１の端末状態情報とに基づいて、前記メッセージの再生の可否を表す第１の再生可否情報および前記メッセージの消去の可否を表す第１の消去可否情報のうち少なくとも一方を生成する第１の判定部と、
前記第１の再生可否情報および前記第１の消去可否情報の少なくとも一方に基づき、前記メッセージの再生および消去の少なくとも一方を許可するか否かを判定する第３の判定部と、
この第３の判定部により、前記メッセージの再生を許可すると判定された場合、前記メッセージを前記第２の電話部により再生させ、前記メッセージの消去を許可すると判定された場合、前記メッセージを前記第２の格納部から消去する第２の情報処理部と
を備えたことを特徴とする留守番電話制御システム。
【請求項５】
第１の電話識別情報が付与された第１の電話端末と、第２の電話識別情報が付与された第２の電話端末と、前記第１の電話端末および前記第２の電話端末と通信可能なサービス制御装置とを備えた留守番電話制御システムであって、
前記第１の電話端末は、
電話音声を入出力し、留守番電話のメッセージを取得する第１の電話部と、
音声通話の信号情報および各種情報を送受信する第１の送受信部と、
前記第１の電話識別情報および前記メッセージを、前記第１の送受信部により前記サービス制御装置に送信させる第１の情報処理部と
を備え、
前記第２の電話端末は、
電話音声を入出力する第２の電話部と、
音声通話の信号情報および各種情報を送受信する第２の送受信部と、
前記メッセージの再生を許可する条件を表す第２の再生条件情報と前記メッセージの消去を許可する条件を表す第２の消去条件情報の少なくとも一方を生成する第２の条件情報生成部と、
前記第２の電話端末の状態を表す第２の端末状態情報を生成する第２の端末情報生成部と、
前記第２の電話識別情報、前記第２の再生条件情報および前記第２の消去条件情報の少なくとも一方並びに前記第２の端末状態情報を、前記第２の送受信部により前記サービス制御装置に送信させる第２の情報処理部と
を備え、
前記サービス制御装置は、
前記第１の電話端末および前記第２の電話端末と各種情報の送受信を行う第３の送受信部と、
この第３の送受信部により、前記第１の電話端末から受信した第１の電話識別情報および前記メッセージと、前記第２の電話端末から受信した前記第２の電話識別情報、前記第２の再生条件情報および前記第２の消去条件情報の少なくとも一方並びに前記第２の端末状態情報を格納する第３の格納部と、
前記第２の再生条件情報および前記第２の消去条件情報の少なくとも一方と前記第２の端末状態情報とに基づいて、前記メッセージの再生の可否を表す第２の再生可否情報および前記メッセージの消去の可否を表す第２の消去可否情報のうち少なくとも一方を生成する第２の判定部と、
この第２の判定部により生成された前記第２の再生可否情報および前記第２の消去可否情報の少なくとも一方に基づき、前記メッセージの再生および消去の少なくとも一方を許可するか否かを判定する第３の判定部と、
この第３の判定部により、前記メッセージの再生を許可すると判定された場合、前記メッセージを前記第２の電話端末に送信し、前記メッセージの消去を許可すると判定された場合、前記メッセージを前記第３の格納部から消去する第３の情報処理部と
を備え、
前記第２の電話端末の前記第２の電話部は、前記サービス制御装置から受信した前記メッセージを出力する
ことを特徴とする留守番電話制御システム。
【請求項６】
第１の電話識別情報が付与された第１の電話端末と、第２の電話識別情報が付与された第２の電話端末と、前記第１の電話端末および前記第２の電話端末と通信可能なサービス制御装置とを備えた留守番電話制御システムであって、
前記第１の電話端末は、
電話音声を入出力し、留守番電話のメッセージを取得する第１の電話部と、
音声通話の信号情報および各種情報を送受信する第１の送受信部と、
前記第１の電話識別情報を格納する第１の情報格納部と、
前記第１の電話識別情報および前記メッセージを、前記第１の送受信部により前記サービス制御装置に送信させる第１の情報処理部と
を備え、
前記サービス制御装置は、
前記第１の電話端末および前記第２の電話端末と各種情報の送受信を行う第３の送受信部と、
この第３送受信部により前記第１の電話端末から受信した、前記第１の電話識別情報および前記メッセージを第２の電話端末に転送する第３の情報処理部と
を備え、
前記第２の電話端末は、
電話音声を入出力する第２の電話部と、
音声通話の信号情報および各種情報を送受信する第２の送受信部と、
前記メッセージの再生を許可する条件を表す第２の再生条件情報と前記メッセージの消去を許可する条件を表す第２の消去条件情報の少なくとも一方を生成する第２の条件情報生成部と、
前記第２の電話端末の状態を表す第２の端末状態情報を生成する第２の端末情報生成部と、
前記第２の送受信部により前記サービス制御装置から受信した第１の電話識別情報および前記メッセージと、前記第２の電話識別情報、前記第２の再生条件情報および前記第２の消去条件情報の少なくとも一方並びに前記第２の端末状態情報とを格納する第２の格納部と、
前記第２の再生条件情報および前記第２の消去条件情報の少なくとも一方と前記第２の端末状態情報とに基づいて、前記メッセージの再生の可否を表す第２の再生可否情報および前記メッセージの消去の可否を表す第２の消去可否情報のうち少なくとも一方を生成する第２の判定部と、
この第２の判定部により生成された前記第２の再生可否情報および前記第２の消去可否情報の少なくとも一方に基づき、前記メッセージの再生および消去の少なくとも一方を許可するか否かを判定する第３の判定部と、
この第３の判定部により、前記メッセージの再生を許可すると判定された場合、前記メッセージを第２の電話部より再生させ、前記メッセージの消去を許可すると判定された場合、前記メッセージを前記第２の格納部から消去する第２の情報処理部と
を備えることを特徴とする留守番電話制御システム。
【請求項７】
前記第１の条件情報生成部または前記第２の条件情報生成部は、前記第１再生条件情報および前記第１の消去条件情報の少なくとも１つ、または、前記第２の再生条件情報および前記第２の消去条件情報の少なくとも１つを、到着または出発を識別するための着発識別情報および２次元または３次元の座標上の所定の位置を指定する情報として生成し、
前記第１の端末情報生成部または前記第２の端末情報生成部は、前記第１の情報処理部または第２の情報処理部に位置情報を供給する位置検出手段をさらに備え、前記第１の端末状態情報または前記第２の端末状態情報を、前記前記位置情報に基づく前記第１の電話端末または前記第２の電話端末の現在位置を表す現在位置情報として生成する
ことを特徴とする請求項１乃至６の何れか１項に記載の留守番電話制御システム。
【請求項８】
前記第１の判定部または前記第２の判定部は、前記着発識別情報が出発を表す情報の場合、前記現在位置情報が示す位置と前記所定の位置を指定する情報が示す位置とが予め決められた所定の範囲以上離れていると、前記再生条件情報または消去条件情報を満足すると判定する
ことを特徴とする請求項７記載の留守番電話制御システム。
【請求項９】
第１の電話識別情報が付与された第１の電話端末と、第２の電話識別情報が付与された第２の電話端末と、前記第１の電話端末および前記第２の電話端末と通信可能なサービス制御装置とを備えた留守番電話制御システムにおける前記第１の電話端末からなる電話端末であって、
前記留守番電話制御システムは、請求項１乃至８の何れか１項に記載された留守番電話制御システムであることを特徴とする電話端末。
【請求項１０】
第１の電話識別情報が付与された第１の電話端末と、第２の電話識別情報が付与された第２の電話端末と、前記第１の電話端末および前記第２の電話端末と通信可能なサービス制御装置とを備えた留守番電話制御システムにおける前記第２の電話端末からなる電話端末であって、
前記留守番電話制御システムは、請求項１乃至８の何れか１項に記載された留守番電話制御システムであることを特徴とする電話端末。
【請求項１１】
第１の電話識別情報が付与された第１の電話端末と、第２の電話識別情報が付与された第２の電話端末と、前記第１の電話端末および前記第２の電話端末と通信可能なサービス制御装置とを備えた留守番電話制御システムにおけるサービス制御装置であって、
前記留守番電話制御システムは、請求項１乃至８の何れか１項に記載された留守番電話制御システムであることを特徴とするサービス制御装置。
【発明の詳細な説明】
【技術分野】
【０００１】
本発明は、留守番電話制御システムに関し、特に、留守番電話のメッセージを再生したり消去したりすることができる留守番電話制御システムに関する。
【背景技術】
【０００２】
近年、留守番電話装置の高機能化が促進しており、例えば、発信側の意思に応じて、発信側が転送先に発信したり、電子メールのメッセージを送ったり、着信側でのメッセージの受け取り方を自由に設定したりできる留守番電話装置が実現されている（例えば、特許文献１参照。）。
【０００３】
【特許文献１】特開２００１−１１９４７１号公報（第１頁、図１等）
【発明の開示】
【発明が解決しようとする課題】
【０００４】
しかしながら、上述したような従来の留守番電話装置では、発信側や受信側の状態については何ら考慮されておらず、その状態の変化に応じて留守番電話のメッセージの再生や消去を行うことについて想定されていないので、発信側や受信側の状態に応じた最適なタイミングでの再生が行えなかったり、不要になったメッセージを受信側に聞かせてしまったりすることがあり、結果として、発信側や受信側のユーザを混乱させてしまうことがあった。
【０００５】
そこで、本発明は、発信側や受信側の状態の変化に応じて留守番電話のメッセージの再生や消去を行うことができる留守番電話システム、電話端末およびサービス制御装置を提供することを目的とする。
【課題を解決するための手段】
【０００６】
上述したような課題を解決するために、本発明に係る留守番電話システムは、第１の電話識別情報が付与された第１の電話端末と、第２の電話識別情報が付与された第２の電話端末と、第１の電話端末および第２の電話端末と通信可能なサービス制御装置とを備えた留守番電話制御システムであって、第１の電話端末は、電話音声を入出力し、留守番電話のメッセージを取得する第１の電話部と、電話音声の信号情報および各種情報を送受信する第１の送受信部と、メッセージの再生を許可する条件を表す第１の再生条件情報およびメッセージの消去を許可する条件を表す第１の消去条件情報の少なくとも一方を生成する第１の条件情報生成部と、第１の再生条件情報および第１の消去条件情報の少なくとも一方を格納する第１の情報格納部と、第１の電話端末の状態を表す第１の端末状態情報を生成する第１の端末情報生成部と、第１の再生条件情報および第１の消去条件情報の少なくとも一方と第１の端末状態情報とに基づいて、メッセージの再生の可否を表す第１の再生可否情報およびメッセージの消去の可否を表す第１の消去可否情報のうち少なくとも一方を生成する第１の判定部と、第１の電話識別情報およびメッセージ、並びに、第１の判定部により生成された第１の再生可否情報および第１の消去可否情報の少なくとも一方および第１の電話識別情報を、第１の送受信部によりサービス制御装置に送信させる第１の情報処理部とを備え、第２の電話端末は、電話音声を入出力する第２の電話部と電話音声の信号情報および各種情報を送受信するとともに、第２の電話識別情報をサービス制御装置に送信する第２の送受信部とを備え、サービス制御装置は、第１の電話端末および第２の電話端末と各種情報の送受信を行う第３の送受信部と、この第３の送受信部により、第１の電話端末から受信した、メッセージと第１の電話識別情報、並びに、第１の再生可否情報および第１の消去可否情報の少なくとも一方と第１の電話識別情報を格納するとともに、第２の電話端末から受信した第２の電話識別情報を格納する第３の格納部と、第１の再生可否情報および第１の消去可否情報の少なくとも一方に基づき、メッセージの再生および消去の少なくとも一方を許可するか否かを判定する第３の判定部と、この第３の判定部により、メッセージの再生を許可すると判定された場合、メッセージを第３の送受信部により第２の電話識別情報に基づいて第２の電話端末に送信し、メッセージの消去を許可すると判定された場合、メッセージを第３の格納部から消去する第３の情報処理部とを備え、第２の電話端末の第２の電話部は、サービス制御装置から受信したメッセージを出力することを特徴とする。
【０００７】
また、本発明に係る他の留守番電話制御システムは、第１の電話識別情報が付与された第１の電話端末と、第２の電話識別情報が付与された第２の電話端末と、第１の電話端末および第２の電話端末と通信可能なサービス制御装置とを備えた留守番電話制御システムであって、第１の電話端末は、電話音声を入出力し、留守番電話のメッセージを取得する第１の電話部と、電話音声の信号情報および各種情報を送受信する第１の送受信部と、メッセージの再生を許可する条件を表す第１の再生条件情報とメッセージの消去を許可する条件を表す第１の消去条件情報の少なくとも一方を生成する第１の条件情報生成部と、第１の電話端末の状態を表す第１の端末状態情報を生成する第１の端末情報生成部と、第１の電話識別情報、第１の再生条件情報および第１の消去条件情報の少なくとも一方並びにメッセージと、第１の電話識別情報および第１の端末状態情報とを、第１の送受信部によりサービス制御装置に送信させる第１の情報処理部とを備え、第２の電話端末は、電話音声を入出力する第２の電話部と、電話音声の信号情報および各種情報を送受信するとともに、第２の電話識別情報をサービス制御装置に送信する第２の送受信部と、サービス制御装置は、第１の電話端末および第２の電話端末と各種情報の送受信を行う第３の送受信部と、この第３の送受信部により、第１の電話端末から受信した、第１の電話識別情報、第１の再生条件情報および第１の消去条件情報の少なくとも一方並びにメッセージと、第１の電話識別情報および第１の端末状態情報とを格納するとともに、第２の電話端末から受信した第２の電話識別情報を格納する第３の格納部と、第１の再生条件情報および第１の消去条件情報の少なくとも一方と第１の端末状態情報とに基づいて、メッセージの再生の可否を表す第１の再生可否情報およびメッセージの消去の可否を表す第１の消去可否情報のうち少なくとも一方を生成する第１の判定部と、第１の再生可否情報および第１の消去可否情報の少なくとも一方に基づき、メッセージの再生および消去の少なくとも一方を許可するか否かを判定する第３の判定部と、この第３の判定部により、メッセージの再生を許可すると判定された場合、メッセージを第３の送受信部により第２の電話識別情報に基づいて第２の電話端末に送信し、メッセージの消去を許可すると判定された場合、メッセージを第３の格納部から消去する第３の情報処理部とを備え、第２の電話端末の第２の電話部は、サービス制御装置から受信したメッセージを出力することを特徴とする。
【０００８】
また、本発明に係る他の留守番電話制御システムは、第１の電話識別情報が付与された第１の電話端末と、第２の電話識別情報が付与された第２の電話端末と、第１の電話端末および第２の電話端末と通信可能なサービス制御装置とを備えた留守番電話制御システムであって、第１の電話端末は、電話音声を入出力し、留守番電話のメッセージを取得する第１の電話部と、電話音声の信号情報および各種情報を送受信する第１の送受信部と、メッセージの再生を許可する条件を表す第１の再生条件情報とメッセージの消去を許可する条件を表す第１の消去条件情報の少なくとも一方を生成する第１の条件情報生成部と、第１の再生条件情報および第１の消去条件情報の少なくとも一方を格納する第１の情報格納部と、第１の電話端末の状態を表す第１の端末状態情報を生成する第１の端末情報生成部と、第１の再生条件情報および第１の消去条件情報の少なくとも一方と第１の端末状態情報とに基づいて、メッセージの再生の可否を表す第１の再生可否情報およびメッセージの消去の可否を表す第１の消去可否情報のうち少なくとも一方を生成する第１の判定部と、第１の電話識別情報とメッセージ、および、第１の判定部により生成された第１の再生可否情報および第１の消去可否情報の少なくとも一方と第１の電話識別情報を、第１の送受信部によりサービス制御装置に送信させる第１の情報処理部とを備え、サービス制御装置は、第１の電話端末および第２の電話端末と各種情報の送受信を行う第３の送受信部と、第３送受信部により、第１の電話端末から受信した、第１の電話識別情報とメッセージ、並びに、第１の再生可否情報および第１の消去可否情報の少なくとも一方と第１の電話識別情報を、第２の電話端末に転送する第３の情報処理部とを備え、第２の電話端末は、電話音声を入出力する第２の電話部と電話音声の信号情報および各種情報を送受信する第２の送受信部と、この第２の送受信部によりサービス制御装置から受信した、第１の電話識別情報とメッセージ、および、第１の再生可否情報および第１の消去可否情報の少なくとも一方と第１の電話識別情報を格納する第２の格納部と、第１の再生可否情報および第１の消去可否情報の少なくとも一方に基づき、メッセージの再生および消去の少なくとも一方を許可するか否かを判定する第３の判定部と、この第３の判定部により、メッセージの再生を許可すると判定された場合、メッセージを第２の電話部により再生させ、メッセージの消去を許可すると判定された場合、メッセージを第２の格納部から消去する第２の情報処理部とを備えたことを特徴とする。
【０００９】
また、本発明に係る他の留守番電話制御システムは、第１の電話識別情報が付与された第１の電話端末と、第２の電話識別情報が付与された第２の電話端末と、第１の電話端末および第２の電話端末と通信可能なサービス制御装置とを備えた留守番電話制御システムであって、第１の電話端末は、電話音声を入出力し、留守番電話のメッセージを取得する第１の電話部と、音声通話の信号情報および各種情報を送受信する第１の送受信部と、メッセージの再生を許可する条件を表す第１の再生条件情報とメッセージの消去を許可する条件を表す第１の消去条件情報の少なくとも一方を生成する第１の条件情報生成部と、第１の再生条件情報および第１の消去条件情報の少なくとも一方を格納する第１の情報格納部と、第１の電話端末の状態を表す第１の端末状態情報を生成する第１の端末情報生成部と、第１の電話識別情報、第１の再生条件情報および第１の消去条件情報の少なくとも一方並びにメッセージと、第１の電話識別情報および第１の端末状態情報とを、第１の送受信部によりサービス制御装置に送信させる第１の情報処理部とを備え、サービス制御装置は、第１の電話端末および第２の電話端末と各種情報の送受信を行う第３の送受信部と、この第３送受信部により第１の電話端末から受信した、第１の電話識別情報、第１の再生条件情報および第１の消去条件情報の少なくとも一方並びにメッセージと、第１の電話識別情報および第１の端末状態情報とを第２の電話端末に転送する第３の情報処理部とを備え、第２の電話端末は、電話音声を入出力する第２の電話部と電話音声の信号情報および各種情報を送受信する第２の送受信部と、この第２の送受信部によりサービス制御装置から受信した、第１の電話識別情報、メッセージ、第１の再生条件情報および第１の消去条件情報の少なくとも一方、並びに、第１の端末状態情報を格納する第２の格納部と、第１の再生条件情報および第１の消去条件情報の少なくとも一方と第１の端末状態情報とに基づいて、メッセージの再生の可否を表す第１の再生可否情報およびメッセージの消去の可否を表す第１の消去可否情報のうち少なくとも一方を生成する第１の判定部と、第１の再生可否情報および第１の消去可否情報の少なくとも一方に基づき、メッセージの再生および消去の少なくとも一方を許可するか否かを判定する第３の判定部と、この第３の判定部により、メッセージの再生を許可すると判定された場合、メッセージを第２の電話部により再生させ、メッセージの消去を許可すると判定された場合、メッセージを第２の格納部から消去する第２の情報処理部とを備えたことを特徴とする。
【００１０】
また、本発明に係る他の留守番電話制御システムは、第１の電話識別情報が付与された第１の電話端末と、第２の電話識別情報が付与された第２の電話端末と、第１の電話端末および第２の電話端末と通信可能なサービス制御装置とを備えた留守番電話制御システムであって、第１の電話端末は、電話音声を入出力し、留守番電話のメッセージを取得する第１の電話部と、音声通話の信号情報および各種情報を送受信する第１の送受信部と、第１の電話識別情報およびメッセージを、第１の送受信部によりサービス制御装置に送信させる第１の情報処理部とを備え、第２の電話端末は、電話音声を入出力する第２の電話部と、音声通話の信号情報および各種情報を送受信する第２の送受信部と、メッセージの再生を許可する条件を表す第２の再生条件情報とメッセージの消去を許可する条件を表す第２の消去条件情報の少なくとも一方を生成する第２の条件情報生成部と、第２の電話端末の状態を表す第２の端末状態情報を生成する第２の端末情報生成部と、第２の電話識別情報、第２の再生条件情報および第２の消去条件情報の少なくとも一方並びに第２の端末状態情報を、第２の送受信部によりサービス制御装置に送信させる第２の情報処理部とを備え、サービス制御装置は、第１の電話端末および第２の電話端末と各種情報の送受信を行う第３の送受信部と、この第３の送受信部により、第１の電話端末から受信した第１の電話識別情報およびメッセージと、第２の電話端末から受信した第２の電話識別情報、第２の再生条件情報および第２の消去条件情報の少なくとも一方並びに第２の端末状態情報を格納する第３の格納部と、第２の再生条件情報および第２の消去条件情報の少なくとも一方と第２の端末状態情報とに基づいて、メッセージの再生の可否を表す第２の再生可否情報およびメッセージの消去の可否を表す第２の消去可否情報のうち少なくとも一方を生成する第２の判定部と、この第２の判定部により生成された第２の再生可否情報および第２の消去可否情報の少なくとも一方に基づき、メッセージの再生および消去の少なくとも一方を許可するか否かを判定する第３の判定部と、この第３の判定部により、メッセージの再生を許可すると判定された場合、メッセージを第２の電話端末に送信し、メッセージの消去を許可すると判定された場合、メッセージを第３の格納部から消去する第３の情報処理部とを備え、第２の電話端末の第２の電話部は、サービス制御装置から受信したメッセージを出力することを特徴とする。
【００１１】
また、本発明に係る他の留守番電話制御システムは、第１の電話識別情報が付与された第１の電話端末と、第２の電話識別情報が付与された第２の電話端末と、第１の電話端末および第２の電話端末と通信可能なサービス制御装置とを備えた留守番電話制御システムであって、第１の電話端末は、電話音声を入出力し、留守番電話のメッセージを取得する第１の電話部と、音声通話の信号情報および各種情報を送受信する第１の送受信部と、第１の電話識別情報を格納する第１の情報格納部と、第１の電話識別情報およびメッセージを、第１の送受信部によりサービス制御装置に送信させる第１の情報処理部とを備え、サービス制御装置は、第１の電話端末および第２の電話端末と各種情報の送受信を行う第３の送受信部と、この第３送受信部により第１の電話端末から受信した、第１の電話識別情報およびメッセージを第２の電話端末に転送する第３の情報処理部とを備え、第２の電話端末は、電話音声を入出力する第２の電話部と、音声通話の信号情報および各種情報を送受信する第２の送受信部と、メッセージの再生を許可する条件を表す第２の再生条件情報とメッセージの消去を許可する条件を表す第２の消去条件情報の少なくとも一方を生成する第２の条件情報生成部と、第２の電話端末の状態を表す第２の端末状態情報を生成する第２の端末情報生成部と、第２の送受信部によりサービス制御装置から受信した第１の電話識別情報およびメッセージと、第２の電話識別情報、第２の再生条件情報および第２の消去条件情報の少なくとも一方並びに第２の端末状態情報とを格納する第２の格納部と、第２の再生条件情報および第２の消去条件情報の少なくとも一方と第２の端末状態情報とに基づいて、メッセージの再生の可否を表す第２の再生可否情報およびメッセージの消去の可否を表す第２の消去可否情報のうち少なくとも一方を生成する第２の判定部と、この第２の判定部により生成された第２の再生可否情報および第２の消去可否情報の少なくとも一方に基づき、メッセージの再生および消去の少なくとも一方を許可するか否かを判定する第３の判定部と、この第３の判定部により、メッセージの再生を許可すると判定された場合、メッセージを第２の電話部より再生させ、メッセージの消去を許可すると判定された場合、メッセージを第２の格納部から消去する第２の情報処理部とを備えることを特徴とする。
【００１２】
上記留守番電話制御システムにおいて、第１の条件情報生成部または第２の条件情報生成部は、第１再生条件情報および第１の消去条件情報の少なくとも１つ、または、第２の再生条件情報および第２の消去条件情報の少なくとも１つを、到着または出発を識別するための着発識別情報および２次元または３次元の座標上の所定の位置を指定する情報として生成し、第１の端末情報生成部または第２の端末情報生成部は、第１の情報処理部または第２の情報処理部に位置情報を供給する位置検出手段をさらに備え、第１の端末状態情報または第２の端末状態情報を、位置情報に基づく第１の電話端末または第２の電話端末の現在位置を表す現在位置情報として生成するようにしてもよい。ここで、第１の判定部または第２の判定部は、着発識別情報が出発を表す情報の場合、現在位置情報が示す位置と所定の位置を指定する情報が示す位置とが予め決められた所定の範囲以上離れていると、再生条件情報または消去条件情報を満足すると判定するようにしてもよい。
【００１３】
また、本発明に係る第１の端末装置は、第１の電話識別情報が付与された第１の電話端末と、第２の電話識別情報が付与された第２の電話端末と、第１の電話端末および第２の電話端末と通信可能なサービス制御装置とを備えた留守番電話制御システムにおける第１の電話端末からなる電話端末であって、留守番電話制御システムは、上記留守番電話制御システムであることを特徴とする。
【００１４】
また、本発明に係る第２の端末装置は、第１の電話識別情報が付与された第１の電話端末と、第２の電話識別情報が付与された第２の電話端末と、第１の電話端末および第２の電話端末と通信可能なサービス制御装置とを備えた留守番電話制御システムにおける第２の電話端末からなる電話端末であって、留守番電話制御システムは、上記留守番電話制御システムであることを特徴とする。
【００１５】
また、本発明に係るサービス制御装置は、第１の電話識別情報が付与された第１の電話端末と、第２の電話識別情報が付与された第２の電話端末と、第１の電話端末および第２の電話端末と通信可能なサービス制御装置とを備えた留守番電話制御システムにおけるサービス制御装置であって、留守番電話制御システムは、上記留守番電話制御システムであることを特徴とする。
【発明の効果】
【００１６】
本発明によれば、第１の電話端末により取得された留守番電話のメッセージの再生を許可する条件を表す再生条件情報およびメッセージの消去を許可する条件を表す消去条件情報の少なくとも一方と、電話端末の状態を表す端末状態情報とに基づいて、メッセージの再生の可否を表す再生可否情報およびメッセージの消去の可否を表す消去可否情報のうち少なくとも一方を生成し、これらに基づいてメッセージの再生および消去の少なくとも一方を許可するか否かを判定し、この判定結果により、メッセージの再生を許可すると判定された場合にはメッセージを第２の電話端末から再生させ、メッセージの消去を許可すると判定された場合にはメッセージを消去することにより、発信側や受信側の状態の変化に応じて留守番電話のメッセージの再生や消去を行うことができる。
【発明を実施するための最良の形態】
【００１７】
以下、図面を参照して、本発明の留守番電話制御システムの実施形態について、詳細に説明する。
【００１８】
［第１の実施の形態］
まず、本発明の第１の実施の形態について説明する。
【００１９】
＜留守番電話制御システムの構成＞
図１に示すように、本実施の形態に係る留守番電話制御システムは、交換機１０と、サービス制御装置２０と、音声装置３０とから構成される交換機ネットワーク１と、この交換機ネットワーク１を介して通話を行う電話端末５０ａ，５０ｂとから構成される。
【００２０】
≪交換機の構成≫
交換機１０は、公知の交換機から構成される。交換機ネットワーク１において、電話端末は、近くに位置する加入者交換機と呼ばれる交換機に接続されている。この加入者交換機は、中継交換機などに接続されて交換機網を形成し、サービス制御装置２０に接続されている。本実施の形態における交換機１０は、このような交換機網を簡略化して表したものである。
【００２１】
なお、加入者交換機、中継交換機およびサービス制御装置２０の間には、音声通話回線（通話チャネル）とは別のデジタル通信回線が設けられるようにしてもよい。固定電話を用いる一般電話回線では、共通線信号方式が用いられるが、ＩＳＤＮのＤチャネルを用いるＤチャネル共通線信号方式、通話チャネルと同じ伝送路に多重化された別のチャネルで制御信号を送受信する共通チャネル形信号方式、通話路と同じ伝送路で制御信号を送受信する個別線信号方式なども設けられる。本実施の形態において、電話端末５０ａ、５０ｂは、音声通話信号と制御用のデジタル情報とを伝送できる場合を例に説明する。
【００２２】
また、携帯電話機の場合、多数のセルに対応した基地局が加入者交換機、複数の基地局をグループ化したエリアを統括する移動交換局（ＭＳＣ：ｍｏｂａｌｅ  ｓｗｉｔｃｈｉｎｇ  ｃｅｎｔｅｒ）が中継交換機にそれぞれ対応する。ホームロケーションレジスタ（ＨＬＲ：Ｈｏｍｅ  ｌｏｃａｔｉｏｎ  ｒｅｇｉｓｔｅｒ）は、課金処理などの各種情報処理や移動交換局、基地局などの制御を行う。したがって、ホームロケーションレジスタ（ＨＬＲ）は、サービス制御装置２０に相当する。基地局、移動交換局、ホームロケーションレジスタの間では、通話チャネルとは別の制御情報を送る通信路が設けられる。また、携帯電話端末と基地局の間にも制御情報を送るため、通話チャネルとは別の無線通信の通信路が通話チャネルと並列に時分割通信路として設けられ、音声情報以外の種々のデジタル情報が携帯電話端末と基地局との間で送受信される。通話チャネルは、音声信号をＣＥＬＰ方式などで高能率符号化したデジタル符号列に変換した情報をパケット伝送する。したがって、携帯電話の伝送チャネルは、通話チャネル、メール情報などのデータ伝送チャネル、制御情報の伝送チャネルなどが、時分割多重で設けられている伝送路と言うことができる。
【００２３】
また、ＩＰ電話では、加入者が接続するアクセス回線にはＦＴＴＨ（Ｆｉｂｅｒ  Ｔｏ  Ｔｈｅ  Ｈｏｍｅ）やＡＤＳＬ（Ａｓｙｍｍｅｔｒｉｃ  Ｄｉｇｉｔａｌ  Ｓｕｂｓｃｒｉｂｅｒ  Ｌｉｎｅ）などのいわゆるブロードバンド回線を利用し、ＶｏＩＰ（Ｖｏｉｃｅ  ｏｖｅｒ  Ｉｎｔｅｒｎｅｔ  Ｐｒｏｔｏｃｏｌ）と呼ばれる音声をデータ圧縮符号化したパケットを比較的安価なＩＰネットワークでリアルタイム伝送する技術を利用している。また、電話交換機の代わりにＩＰサーバを使用する。ＩＰ電話加入者データを元に通信を制御する加入者系呼制御サーバ（ＳＩＰサーバ）が加入者交換機に相当し、ＩＰ電話と他のＩＰネットワークとの通信を制御する中継系呼処理サーバ（ＣＡサーバ）が中継系呼制御サーバで中継交換機に相当する。これらを連携させる呼処理サーバ（ＳＩＰ連携サーバ）が用いられることもある。これらのサーバの内部あるいは近傍のいずれかには、課金処理などの制御を行うサービス制御装置２０に相当するサービス制御サーバが設けられる。また、従来の電話網側には相互接続用関門交換機が設置されている。ＶｏＩＰでは、音声データ圧縮符号化パケット以外に、制御情報を搭載できるパケットの送受信が可能になっている。
【００２４】
上述したように、一般電話回線、携帯電話、ＩＰ電話など電話の種類によって回線の構成は厳密には同一ではないが、交換処理やサービス制御の機能は基本的にほぼ同一と言うことができる。したがって、図１に示す本実施の形態に係る留守番電話制御システムは、一般電話回線、携帯電話、ＩＰ電話など各種の電話に対応することができる。
【００２５】
≪サービス制御装置の構成≫  
図２に示すように、サービス制御装置２０は、情報処理部２１と、送受信部２２と、情報格納部２３と、判定部２４と、メッセージ・制御情報格納部２５とを備えている。
【００２６】
情報処理部２１は、サービス制御装置２０が備えるＣＰＵなどのマイクロプロセッサとその周辺回路が、制御メモリに記憶された動作プログラムを読み込んで実行することにより、上記ハードウェアと動作プログラムを協働させ、音声通話信号の処理、上記各種の情報の生成の指示、情報の読み出し、情報の格納などの各種処理を実現する機能部である。
【００２７】
送受信部２２は、交換機１０との間で音声通話信号などの各種信号の送受信を行うインターフェース装置からなる。
【００２８】
情報格納部２３は、不揮発性または揮発性の記録媒体などの記憶装置からなり、サービス制御装置２０による各処理に用いる各種情報を格納する。
【００２９】
判定部２４は、留守番電話のメッセージ（以下、留守番メッセージという）を再生するタイミングに関する再生条件や留守番メッセージを消去するタイミングに関する消去条件を、電話端末５０ａ，５０ｂが満足しているか否かを判定する。この判定の結果、満足している場合には留守番メッセージを再生または消去し、満足していない場合には留守番メッセージを再生または消去しない。これらの処理は、情報処理部２１と同様、サービス制御装置２０が備えるＣＰＵなどのマイクロプロセッサとその周辺回路が、制御メモリに記憶された動作プログラムを読み込んで実行することにより、上記ハードウェアと動作プログラムを協働させ、実現される。
【００３０】
メッセージ・制御情報格納部２５は、留守番電話のメッセージを記憶する機能部である。
【００３１】
≪電話端末５０ａの構成≫
図２に示すように、電話端末５０ａは、電話部５１ａと、送受信部５２ａと、条件情報生成部５３ａと、端末情報生成部５４ａと、情報格納部５５ａと、情報処理部５６ａと、判定部５７ａとを備えている。なお、本実施の形態において、電話端末５０ａは、発信側のユーザＡが利用する場合を例に説明する。
【００３２】
電話部５１ａは、マイクロフォン、スピーカ、ハンドセットなどの出力装置から構成される。
【００３３】
送受信部５２ａは、交換機１０との間で音声通話信号などの各種信号の送受信を行うインターフェース装置からなる。
【００３４】
条件情報生成部５３ａは、キー、ボタン、ジョイスティック、スライディングパッド、ジョグシャトルなどの各種操作スイッチや操作ボタンなどからなる入力装置、および、ＬＣＤ（Ｌｉｑｕｉｄ  Ｃｒｙｓｔａｌ  Ｄｉｓｐｌａｙ），ＦＥＤ（Ｆｉｅｌｄ  Ｅｍｉｓｓｉｏｎ  Ｄｉｓｐｌａｙ），有機ＥＬ（Ｅｌｅｃｔｒｏ  Ｌｕｍｉｎｅｓｃｅｎｔ）などの表示装置から構成される。このような条件情報生成部５３ａは、再生条件や消去条件の選択や設定を行うため、再生条件情報や消去条件情報を生成して情報処理部５６ａに送信する。ここで言う生成とは、ユーザによる再生条件や消去条件の選択や設定についての操作入力に関する再生条件情報や消去条件情報に基づいて、情報処理部５６ａに送信する情報を構成する処理、予め格納されている再生条件情報や消去条件情報の候補となり得る情報からユーザにより選択された情報を読み出す処理などが含まれる。なお、再生条件情報とは、留守番メッセージの再生を許可するための条件を表す情報であり、消去条件情報とは、留守番メッセージの再生を消去するための条件を表す情報である。
【００３５】
端末情報生成部５４ａは、パソコンなどの機器や外部接続される装置から供給される状態コード（ＳＣ１）＝（ｘｘｘｘ）を受け取るＩ／Ｏ回路、および、ＧＰＳ（Ｇｌｏｂａｌ  Ｐｏｓｉｔｉｏｎｉｎｇ  Ｓｙｓｔｅｍ）による衛星電波を受信して経度緯度情報を生成するＧＰＳ受信機のような位置検出装置などから構成される。このような端末情報生成部５４ａは、電話端末５０ａ自身の状態やこの電話端末５０ａに接続されたパソコンなどの機器や装置の状態を検出し、これらの端末装置の状態を表す端末状態情報を生成して情報処理部５６ａに送信する機能部である。ここで、電話端末５０ａの状態とは、例えば、位置情報など自身の内部状態や通信可能な装置の状態のことを意味する。また、パソコンなどの機器や装置の状態とは、例えば、ＣＰＵ稼働率、シャットダウン中または稼動中の何れかなどに関する状態のことを意味する。なお、位置検出装置としては、ジャイロなどを応用した装置を用いるようにしてもよい。
【００３６】
情報格納部５５ａは、不揮発性または揮発性の記録媒体などの記憶装置からなり、再生条件情報、消去条件情報、端末状態情報を含む各種情報を格納する。
【００３７】
情報処理部５６ａは、電話端末５０ａが備えるＣＰＵなどのマイクロプロセッサとその周辺回路が、制御メモリに記憶された動作プログラムを読み込んで実行することにより、上記ハードウェアと動作プログラムを協働させ、音声通話信号の処理、上記各種の情報の生成の指示、情報の読み出し、情報の格納などの各種処理を実現する機能部である。このように、情報処理部５６ａの処理手順は、通常、ソフトウェアで実現され、このソフトウェアはＲＯＭ等の記録媒体に記録されているが、ハードウェア（専用回路）で実現するようにしてもよい。
【００３８】
判定部５７ａは、情報処理部５６ａと同様、電話端末５０ａが備えるＣＰＵなどのマイクロプロセッサとその周辺回路が、制御メモリに記憶された動作プログラムを読み込んで実行することにより、上記ハードウェアと動作プログラムを協働させ、再生条件情報と端末状態情報および消去条件情報と端末状態情報をそれぞれ比較して、電話端末５０ａが、その再生条件情報または消去条件情報を満足しているか否かを判定し、この判定結果に基づく再生可否情報や消去可否情報を生成して情報処理部５６ａに送出する機能部である。このように、判定部５７ａの処理手順は、通常、ソフトウェアで実現され、このソフトウェアはＲＯＭ等の記録媒体に記録されているが、ハードウェア（専用回路）で実現するようにしてもよい。
【００３９】
≪電話端末５０ｂの構成≫  
電話端末５０ｂは、電話端末５０ａと同等の構成を有する。したがって、電話端末５０ｂにおいて、電話端末５０ａと同等の構成要素については、同じ名称および添え字をｂとした同じ符号を付し、適宜説明を省略する。なお、本実施の形態においては、電話端末５０ｂは、着信側のユーザＢが用いる場合を例として説明する。
【００４０】
＜留守番電話制御システムの動作の概要＞
サービス制御装置２０は、判定部２４により、電話端末５０ａ、５０ｂの両方についてそれぞれ再生条件や消去条件を満足しているか否かを判定し、再生条件や消去条件を満足していると判定した場合、電話端末５０ｂ宛に発呼してユーザＢを呼び出し、留守番メッセージを電話端末５０ｂに送信する。ユーザＢは、電話端末５０ｂより、その留守番メッセージを音声として聞くことができる。または、留守番メッセージを消去して、ユーザＢに無駄なメッセージを聞かせなくて済むようにする。
【００４１】
発信側のユーザＡが、電話端末５０ａから受信側のユーザＢの電話端末５０ｂ宛に留守番メッセージを送信すると、この留守番メッセージは、交換機１０、送受信部２２、情報処理部２１を経て、メッセージ・制御情報格納部２５に格納保存される。
【００４２】
電話端末５０ａは、留守番メッセージの再生や消去のタイミングについて、予め再生条件や消去条件を設定することができる。再生や消去のタイミングは、送信側、受信側の居る場所がどこか、イベントの有無、時刻などにより決めることができる。受信側の電話端末５０ｂにおいても、留守番メッセージの再生や消去のタイミングについて、予め再生条件や消去条件を設定することができる。電話端末５０ａは、設定されている再生条件が端末自身内で満たされた場合、サービス制御装置２０にその旨通知する。電話端末５０ｂも、設定されている再生条件が端末自身内で満たされた場合、サービス制御装置２０にその旨通知する。
【００４３】
サービス制御装置２０においては、判定部２４が、電話端末５０ａ、５０ｂの両方についてそれぞれ再生条件や消去条件を満足しているか否かを判定し、所定の判定ルールにしたがって、再生条件や消去条件を満足していると判定した場合、サービス制御装置２０は、電話端末５０ｂ宛に発呼してユーザＢを呼び出し、メッセージを電話端末５０ｂに送信する。ユーザＢは、電話端末５０ｂより、そのメッセージを音声として聞くことができる。または、メッセージを消去して、ユーザＢに無駄なメッセージを聞かせなくて済む。
【００４４】
＜留守番電話再生・消去サービスについて＞
次に、本実施の形態に係る留守番電話制御システムによる留守番電話制御の機能の代表的なものについて説明する。本実施の形態の留守番電話制御システムは、以下に示すような種々の留守番電話再生・消去サービスを提供することができる。なお、以下においては、発信側の電話端末５０ａはユーザＡ、着信側の電話端末５０ｂはユーザＢにそれぞれ用いられる場合を例に説明する。
【００４５】
≪到着指定再生サービス≫
到着指定再生サービスとは、受信側の電話端末５０ｂが予め指定された場所に到着した場合に留守番メッセージを再生させるサービスである。例えば、ユーザＢがデパートに着いた時に、このデパートでの買い物をユーザＢに依頼するユーザＡからの留守番メッセージを伝えるというサービスである。ここで、もし、ユーザＢがデパートに行かなければ、留守番メッセージは不要であるので、再生しない。このようなサービスは、ユーザＡがユーザＢの行動予定が変更し得ることを知っている場合などに使用できる。なお、このサービスでは、発信側の電話端末５０ａが予め指定された場所に到着した場合を再生条件とすることもできる。このサービスは、電話端末５０ａまたは５０ｂが携帯電話である場合に特に適している。
【００４６】
≪出発指定再生サービス≫
出発指定再生サービスとは、発信側の電話端末５０ａが予め指定された所定の場所から離れた場合に留守番メッセージを再生させるサービスである。ユーザＡの出張予定や時刻等が未確定であり、これが確定したときにユーザＢに依頼したいことを忘れずに伝えたい場合、ユーザＡが事務所等の所定の場所から出た時点で留守番メッセージがユーザＢ宛に伝えられる。なお、このサービスでは、受信側の電話端末５０ｂが予め指定された所定の場所を離れた場合を再生条件とすることも可能である。このサービスは、電話端末５０ａまたは５０ｂが携帯電話である場合に、特に適している。
【００４７】
≪端末状態指定再生サービス≫
端末状態指定再生サービスとは、電話端末５０ａ、５０ｂ自身や接続されているパソコンなどの装置のうちのいずれか、または、両方が、予め指定されている状態になった場合、留守番メッセージをユーザＢ宛に再生させるサービスである。例えば、受信側のユーザＢの電話端末５０ｂに接続されたパソコンの使用が終わって手が空いたときに、留守番メッセージを再生させるものである。これは、装置の状態だけでなく、任意のイベントが発生した場合に、留守番メッセージを再生させるようにしてもよい。
【００４８】
≪日時指定再生サービス≫
日時指定再生サービスとは、予め指定した所定の日時になった場合に、留守番メッセージを再生させるサービスである。例えば、登山に行くユーザＡがユーザＢに連絡が取れないまま出発する際に、下山予定日＋２日後を再生条件として設定しておき、捜索依頼を提出してくれるように依頼するメッセージをユーザＢに届けるようにするものである。
【００４９】
≪到着指定消去サービス≫
到着指定消去サービスとは、発信側の電話端末５０ａが予め指定された所定の場所に到着した場合に、留守番メッセージを消去させるサービスである。例えば、登山に行くユーザＡがユーザＢに連絡が取れないまま出発する際に、登山口バス停留所に無事に戻ってきた場合を消去条件として設定しておき、ユーザＡが無事に戻ってきた場合には捜索依頼の提出の留守番メッセージを消去してユーザＢに届かないようにするものである。なお、このサービスでは、受信側の電話端末５０ｂが予め指定された場所に到着した場合を消去条件とするようにしてもよい。このサービスは、電話端末５０ａまたは５０ｂが携帯電話である場合に、特に適している。
【００５０】
≪出発指定消去サービス≫
出発指定消去サービスとは、発信側の電話端末５０ａが、予め指定された所定の場所を出発した場合に留守番メッセージを消去させるサービスである。例えば、居酒屋にいるユーザＡが、ユーザＢに来てくれるように留守番メッセージを送る際に、ユーザＡの気が変わって居酒屋から帰ることもあると考えて、ユーザＡが居酒屋から出た場合は留守番メッセージを消去して、ユーザＢに不必要なメッセージが届かないようにするものである。なお、このサービスでは、受信側の電話端末５０ｂが予め指定された場所から離れた場合を消去条件とするようにしてもよい。このサービスは、電話端末５０ａまたは５０ｂが携帯電話である場合に、特に適している。
【００５１】
≪端末状態指定消去サービス≫
端末状態指定消去サービスとは、電話端末５０ａ、５０ｂや接続されているパソコンなどの装置のいずれか、または、両方が、予め指定された所定の状態になった場合に、不要になった留守番メッセージを消去するものである。
【００５２】
≪日時指定消去サービス≫
日時指定消去サービスとは、予め指定した所定の日時になった場合に、留守番メッセージを消去するサービスである。
【００５３】
なお、上述した留守番電話再生・消去サービスの各サービスは、単独または複数を組み合わせて実現するようにしてもよい。
【００５４】
＜留守番電話制御情報＞
次に、本実施の形態に係る留守番電話制御システムを動作させるための留守番電話制御情報について説明する。
【００５５】
図３に示す各情報は、電話端末５０ａ、５０ｂなどがサービス制御装置２０に対して上述した留守番電話再生・消去サービスを要求して登録する際に、電話端末５０ａ、５０ｂなどが生成する各種留守番電話制御情報の一覧表である。この一覧表に示した各情報について説明する。
【００５６】
「ｉ」は、留守番メッセージの発信側か受信側かを識別する識別番号であり、「ｉ＝１」の場合には発信側、「ｉ＝２」の場合には受信側であることを示している。「電話識別情報（ＴＮ１、ＴＮ２）」は、交換機１０に接続された多数の電話端末、電話端末５０ａおよび電話端末５０ｂを識別する情報であり、本実施の形態では、電話端末５０ａ（「１」）と電話端末５０ｂ（「１」）の電話番号である。なお、電話識別情報（ＴＮ１、ＴＮ２）は、それぞれ電話端末５０ａと電話端末５０ｂのＩＰアドレスとするようにしてもよい。
【００５７】
「再生条件情報」は、留守番メッセージの再生を許可するための条件を表す情報であり、位置コード（ＰＲ１）、状態コード（ＳＲ１）、時刻コード（ＴＲ１）、位置コード（ＰＲ２）、状態コード（ＳＲ２）、時刻コード（ＴＲ２）よりなる。ここで、「Ｐ」はポジション、「Ｓ」はステータス、「Ｔ」は年月日時刻を、「Ｒ」は再生（Ｒｅｐｒｏｄｕｃｅ）を表しており、「１」および「２」は上記「ｉ」に対応している。
【００５８】
「消去条件情報」は、留守番メッセージの消去を許可するための条件を表す情報であり、位置コード（ＰＥ１）、状態コード（ＳＥ１）、時刻コード（ＴＥ１）、位置コード（ＰＥ２）、状態コード（ＳＥ２）、時刻コード（ＴＥ２）より構成される。ここで、「Ｅ」は消去（Ｅｒａｓｅ）を表す記号である。なお、「Ｐ」、「Ｓ」、「Ｔ」、「１」および「２」は、上述した「再生条件情報」の場合と同じ意味である。
【００５９】
「端末状態情報」は、電話端末５０ａ，５０ｂの状態や電話端末に接続された装置や機器の状態を表す情報であり、位置データ（Ｘ１，Ｙ１）、状態データ（ＳＤ１）、時刻データ（ＴＤ１）、位置データ（Ｘ２，Ｙ２）、状態データ（ＳＤ２）、時刻データ（ＴＤ２）より構成される。ここで、Ｄはデータ（Ｄａｔａ）であることを表す記号である。なお、「Ｓ」、「Ｔ」、「１」および「２」は、上述した「再生条件情報」の場合と同じ意味である。
【００６０】
「再生可否情報」は、上述したように判定部５７ａ，５７ｂが再生条件情報と端末状態情報に基づいて電話端末が再生条件情報を満足しているか否かを判定した判定結果であって、留守番メッセージの再生の可否を表す情報であり、（ＰＲｐ１）、（ＳＲｐ１）、（ＴＲｐ１）、（ＰＲｐ２）、（ＳＲｐ２）、（ＴＲｐ２）から構成される。再生可否情報のそれぞれは、再生許可情報＝（ＯＫ）、再生不可情報＝（ＮＯ）または非選択=［０］のいずれかを表す。ここで、「ｐ」は、ｐｅｒｍｉｓｓｉｏｎの頭文字である。また、「Ｐ」、「Ｓ」、「Ｔ」、「１」および「２」は、上述した「再生条件情報」の場合と同じ意味である。
【００６１】
「消去可否情報」は、上述したように判定部５７ａ，５７ｂが消去条件情報と端末状態情報に基づいて電話端末が消去許可情報を満足しているか否かを判定した判定結果であって、留守番メッセージの消去の可否を表す情報であり、（ＰＥｐ１）、（ＳＥｐ１）、（ＴＥｐ１）、（ＰＥｐ２）、（ＳＥｐ２）、（ＴＥｐ２）から構成される。消去可否情報のそれぞれは、消去許可情報＝（ＯＫ）、消去不可情報＝（ＮＯ）または非選択=［０］のいずれかを表している。
ここで、「ｐ」は、ｐｅｒｍｉｓｓｉｏｎの頭文字である。また、「Ｐ」、「Ｓ」、「Ｔ」、「Ｅ」、「ｐ」、「１」および「２」は、上述した「消去条件情報」および「再生可否情報」の場合と同じ意味である。
【００６２】
図４に示すように、上述した電話識別情報（ＴＮ１、ＴＮ２）、再生条件情報（ＰＲ１、ＳＲ１、ＴＲ１、ＰＲ２、ＳＲ２、ＴＲ２）、再生可否情報（ＰＲｐ１、ＳＲｐ１、ＴＲｐ１、ＰＲｐ２、ＳＲｐ２、ＴＲｐ２）、消去条件情報（ＰＥ１、ＳＥ１、ＴＥ１、ＰＥ２、ＳＥ２、ＴＥ２）、消去可否情報（ＰＥｐ１、ＳＥｐ１、ＴＥｐ１、ＰＥｐ２、ＳＥｐ２、ＴＥｐ２）、メッセージ識別情報（ＭＮ）およびメッセージ情報（ＭＣ）は、メッセージ・制御情報表の形式に配列された１つの表データとして扱われる。ここで、メッセージ情報（ＭＣ）は、留守番電話の音声メッセージ信号をデジタル情報化したデータ列である。電話端末５０ａ、５０ｂが携帯電話の場合、ＣＥＬＰ方式などで符号化された音声圧縮符号列になる。また、メッセージ識別情報（ＭＮ）は、メッセージ情報（ＭＣ）が複数ある場合の識別情報であって、メッセージ番号のようなものを表している。
【００６３】
これらの各情報の意味と形態について、図５、図６を参照してさらに詳細に説明する。なお、図５、図６は、本実施の形態の留守番電話制御システムにおいて、再生条件や消去条件を選択または設定する際に用いる各再生サービス、各消去サービスのサービスメニューと詳細メニュー、および、それらに割り振られたコード形式の情報形態を示す再生条件選択表（図５）および消去条件選択表（図６）である。
【００６４】
≪到着または出発指定再生サービスに用いられる情報≫
上述した再生条件情報（ＰＲ１、ＳＲ１、ＴＲ１、ＰＲ２、ＳＲ２、ＴＲ２）に含まれる「位置コード（ＰＲ１）」は、到着指定再生サービスに使用する位置コード（Ａｒ，Ｘｄ，Ｙｄ）、または、出発指定再生サービスに使用する位置コード（Ｄｐ，Ｘｄ，Ｙｄ）の形式で表現されるもので、到着位置または出発位置を指定する位置指定情報である。ここで、「Ａｒ」と「Ｄｐ」は、到着または出発の何れであるかを識別するための情報である着発識別情報である。「Ａｒ」は到着（Ａｒｉｖａｌ）を表し、「Ｄｐ」は出発（Ｄｅｐａｒｔｕｒｅ）を表す。「Ｘ」と「Ｙ」は、所望の場所の地図上の経度情報と緯度情報であり、各添え字（ｄ、ｓ、ｂ、ｅ，ｕ，ｂ）は、所望の場所（Ｄデパート、Ｓスーパー、Ｂ書店、いろり、魚正、豊漁寿司）を表している。
【００６５】
ここで、位置コード（Ａｒ，Ｘｄ，Ｙｄ）は、例えば、電話端末５０ａが、Ｄデパートが存在する（Ｘｄ，Ｙｄ）の経度と緯度の近傍２０ｍ以内の範囲に位置する場合に、留守番メッセージを再生可能状態にすることを意味する再生条件情報である。位置コード（Ｄｐ，Ｘｅ，Ｙｅ）は、例えば、電話端末５０ａが、居酒屋「いろり」が存在する（Ｘｄ，Ｙｄ）の経度と緯度の近傍２０ｍの外側に位置する場合に、留守番メッセージを再生可能状態にすることを意味する再生条件情報である。なお、上記２０ｍの値は、適宜自由に設定することができる。一方、位置コード（ＰＲ２）は、電話端末５０ｂの位置に関する同様の情報である。
【００６６】
なお、（Ｘｄ，Ｙｄ）は、所望の場所の位置を表す経度情報と緯度情報による２次元情報であるが、３次元の座標上の所望の位置を指定する情報（Ｘｄ、Ｙｄ、Ｚｄ）としてもよい。これにより、例えば、高層ビルなどの何階であるかを指定することが可能となる。また、所望の位置は、店舗、事務所などの位置や領域、それらの近傍を含めた領域、交通機関の経路、その周辺を含む領域である。（Ｘｄ，Ｙｄ）のような一点を示す情報でなく、長方形や矩形、任意の形状の領域を示す座標情報でもよい。交通機関の経路またはその周辺を含む領域の場合は、直線や曲線の集合を基準にして、その集合の２０ｍ以内の領域というように定義してもよい。
【００６７】
≪端末状態指定再生サービスに用いられる情報≫
状態コード（ＳＲ１）は、４ビットの情報（ｘｘｘｘ）からなり、端末の状態を表すコード情報である。端末の状態が（ｘｘｘｘ）の場合に、留守番メッセージを再生させることを表す。
【００６８】
≪日時指定再生サービスに用いられる情報≫
時刻コード（ＴＲ１）は、（月、日、時、分）を表す情報で、留守番メッセージを再生する時刻的なタイミングを指定する情報である。
【００６９】
≪到着または出発指定消去サービスに用いられる情報≫
消去条件情報（ＰＥ１、ＳＥ１、ＴＥ１、ＰＥ２、ＳＥ２、ＴＥ２）中の位置コード（ＰＥ１）は、到着指定消去サービスに使用する位置コード（Ａｒ，Ｘｄ，Ｙｄ）、または、出発指定消去サービスに使用する位置コード（Ｄｐ，Ｘｄ，Ｙｄ）の形式で表現され、到着位置または出発位置を指定する位置指定情報である。ここで、「Ａｒ」と「Ｄｐ」は、到着か出発かを識別するための情報である着発識別情報である。「Ａｒ」は到着（Ａｒｉｖａｌ）を表し、「Ｄｐ」は出発（Ｄｅｐａｒｔｕｒｅ）を表す。「Ｘ」と「Ｙ」は、所望の場所の地図上の経度情報と緯度情報であり、各添え字（ｔ、ｓ、ｂ、ｅ，ｕ，ｂ）は、所望の場所（登山口バス停、Ｓスーパー、Ｂ書店、いろり、魚正、豊漁寿司）を表している。
【００７０】
ここで、位置コード（Ａｒ，Ｘｔ，Ｙｔ）は、例えば、電話端末５０ａが、登山口バス停が存在する（Ｘｄ，Ｙｄ）の経度と緯度の近傍２０ｍ以内の範囲に位置する場合に、留守番メッセージを消去可能状態にすることを意味する消去条件情報である。位置コード（Ｄｐ，Ｘｅ，Ｙｅ）は、例えば、電話端末５０ａが、居酒屋「いろり」が存在する（Ｘｄ，Ｙｄ）の経度と緯度の近傍２０ｍの外側に位置する場合に、留守番メッセージを消去可能状態にできるようにすることを意味する消去条件情報である。なお、上記２０ｍの値は、適宜自由に設定することができる。一方、位置コード（ＰＥ２）は、電話端末５０ｂの位置に関する同様の情報である。ここで、（Ｘｄ，Ｙｄ）については、上述した再生条件情報で説明した変形例を適用するようにしてもよい。
【００７１】
≪端末状態指定消去サービスに用いられる情報≫
状態コード（ＳＥ１）は、４ビットの情報（ｘｘｘｘ）からなり、端末の状態を表すコード情報である。端末の状態が（ｘｘｘｘ）の場合に、留守番メッセージを消去させることを表す。
【００７２】
≪日時指定消去サービスに用いられる情報≫
時刻コード（ＴＥ１）は、（月、日、時、分）を表す情報で、留守番メッセージを消去するタイミングを指定する情報である。
【００７３】
図５に示す再生条件選択表および図６に示す消去条件選択表は、上述した再生サービスおよび消去サービスの合計８種類のサービスメニュー、並びに、サービスメニュー毎の詳細サービスの一覧を示すものである。なお、この再生条件選択表および消去条件選択表の情報は、電話端末５０ａ、５０ｂの情報格納部５５ａ、５５ｂにそれぞれ格納されているものとする。
【００７４】
なお、上述したように「到着指定再生サービス」では、詳細メニューの「場所名」として、Ｄデパート、Ｓスーパー、Ｂ書店が用意され、それぞれの「位置コード」として、到着を表す着発識別情報ＡｒとＧＰＳによる経度緯度情報からなる（Ａｒ，Ｘｄ，Ｙｄ）、（Ａｒ，Ｘｓ，Ｙｓ）、（Ａｒ，Ｘｂ，Ｙｂ）が用意されている。
【００７５】
また、上述したように「出発指定再生サービス」では、詳細メニューの「居酒屋名」として、いろり、魚正、豊漁寿司が用意され、それぞれの「位置コード」として、出発を表す着発識別情報ＤｐとＧＳＰによる経度緯度情報からなる（Ｄｐ，Ｘｅ，Ｙｅ）、（Ｄｕ，Ｘｓ，Ｙｕ）、（Ｄｐ，Ｘｈ，Ｙｈ）が用意されている。
【００７６】
また、上述したように「端末状態指定再生サービス」では、詳細メニューの「端末状態」として、ＰＣシャットダウン、メール終了、キーボード操作終了が用意され、それぞれの「状態コード」として、［０００１］、［００１０］、［００１１］が用意されている。
【００７７】
また、上述したように「日時指定再生サービス」では、詳細メニューとして、月、日、時、分が入力可能な４つの矩形の空欄が並んだ図形データが用意され、空欄に数字を入力して、（月、日、時、分）情報を生成する。
【００７８】
なお、図６に示す消去条件選択表においても、上述した図５に示す再生条件選択表の詳細メニューに対応する同等の位置コード、状態コードなどが用意されている。例えば、登山口バス停のメニューでは、（Ａｒ，Ｘｔ，Ｙｔ）のように、所定の場所に到達した場合に留守番メッセージを消去するサービスが選択できる。
【００７９】
＜留守番電話制御システムの動作＞
本実施の形態に係る留守番電話制御システムは、上述した再生サービスおよび消去サービスを実現する留守番電話制御システムである。したがって、（１）再生条件や消去条件を電話端末５０ａ、５０ｂの一方またはそれぞれで選択し、電話端末５０ａにおいて話される留守番メッセージと共に、再生条件や消去条件を登録格納する手順、（２）登録された再生条件や消去条件が満足されたか否かを判定する手順、（３）再生条件や消去条件が満足された場合に、格納されている留守番メッセージを電話端末５０ｂに再生させるまたは格納されている留守番メッセージを消去する手順、を実行することが必要である。これらの手順および電話端末５０ａ、５０ｂ、サービス制御装置２０の動作について順次説明する。
【００８０】
≪再生条件および消去条件の登録動作≫
図７〜図９を参照して、再生条件や消去条件を選択または生成し、留守番メッセージと共に再生条件や消去条件を登録格納する手順について説明する。
【００８１】
（電話端末５０ａの動作）
まず、電話端末５０ａが、自身および受信側の電話端末５０ｂに課する再生条件または消去条件を選択、設定する手順について、図７を参照して説明する。電話端末５０ａには、通常、電話待ち受け、フックオフ、電話番号入力の有無、電話番号検索などの処理ルーチン、その他の周知の処理ルーチンの生起を、ポーリングまたは割り込み発生を検知して割り込みを生起するメインルーチンが設けられている。図７の再生条件および消去条件の選択ルーチンは、それらの処理ルーチンに追加して設けられるものである。
【００８２】
電話端末５０ａのメインメニューが操作され、留守番電話再生・消去サービスが選択されたことをメインルーチンが検知すると、割り込みがかかり（ステップＳ１１）、留守番電話再生・消去サービス選択の確認ボタン画面が条件情報生成部５３ａの表示装置に表示される（ステップＳ１２）。ここで、確認ボタン画面には、留守番電話再生・消去サービスを選択するか否かをユーザＡに選択させるべく、例えば［ＹＥＳ、ＮＯ］のボタンが表示される。
【００８３】
ユーザＡが、条件情報生成部５３ａの操作手段を操作して確認ボタン[ＹＥＳ]を選択すると（ステップＳ１３：ＹＥＳ）、情報処理部５６ａは、図４に示したメッセージ・制御情報表を生成して情報格納部５５ａに格納し、その内容を初期化する。この初期化は、例えば、全てのビットを非選択＝［０］とすることにより行われる。メッセージ・制御情報表を生成すると、電話識別情報（ＴＮ１、ＴＮ２）欄にＴＮ１として自身の電話番号を格納する（ステップＳ１４）。
【００８４】
電話識別情報を格納すると、情報処理部５６ａは、留守番電話再生・消去サービスの設定希望の有無を確認する（ステップＳ１５）。これは、例えば、［ＹＥＳ、ＮＯ］の確認ボタンと電話番号＝ＴＮ１とよりなる質問画面を条件情報生成部５３ａの表示装置に表示させることにより行われる。ここで、電話番号＝ＴＮ１を表示させるのは、自分の電話端末５０ａに関わる再生条件と消去条件の設定であることをユーザＡに対して示すことを目的としている。
【００８５】
操作装置により確認ボタン［ＮＯ］が選択されると（ステップＳ１５：ＮＯ）、情報処理部５６ａはステップＳ２０の処理に進む。これにより、電話端末５０ａ自身について留守番電話再生・消去サービスが全く設定されない。この場合、メッセージ・制御情報表における電話番号ＴＮ１に対応する各再生条件情報（ＰＲ１、ＳＲ１、ＴＲ１、ＰＲ２、ＳＲ２、ＴＲ２）欄は、全て、非設定＝［０］に設定される。この場合は、後述するように、発信側のユーザＡ、すなわち電話端末５０ａの状態によっては決まらず、電話端末５０ｂの方の条件によって留守番メッセージの再生の許可が決まる設定となる。
【００８６】
一方、操作装置により確認ボタン[ＹＥＳ]が選択されると（ステップＳ１５：ＹＥＳ）情報処理部５６ａは、情報格納部５５ａに格納されている再生条件選択表および消去条件選択表のデータに基づいて、各留守番電話再生・消去サービス名［到着指定再生サービス、出発指定再生サービス、端末状態指定再生サービス、日時指定再生サービス、到着指定消去サービス、出発指定消去サービス、端末状態指定消去サービス、日時指定消去サービス］のリスト画面を生成して条件情報生成部５３ａの表示装置に表示させる（ステップＳ１６）。
【００８７】
ユーザＡによる操作装置の操作入力により、留守番電話再生・消去サービス名の１つが選択されると、情報処理部５６ａは、ステップＳ１６で選択された留守番電話再生・消去サービス名における詳細メニュー画面を条件情報生成部５３ａの表示装置に表示させる（ステップＳ１７）。例えば、［到着指定再生サービス］が選択された場合、情報処理部５６ａは、情報格納部５５ａの再生条件選択表の情報から、到着指定再生サービスの場所名を読み出し、［Ｄデパート、Ｓスーパー、Ｂ書店］の文字列による詳細メニューのリストを条件情報生成部５３ａの表示装置に表示させる。なお、Ｄデパート、Ｓスーパー、Ｂ書店は、到着指定再生サービスにおける詳細メニューである。
【００８８】
詳細メニューの１つが選択されると、情報処理部５６ａは、その詳細メニューに割り振られたコードを、メッセージ・制御情報表のｉ＝１に格納する（ステップＳ１８）。例えば、［到着指定再生サービス］が選択された場合、再生条件情報である場所コードをメッセージ・制御情報表の再生条件情報（ＰＲ１、ＳＲ１、ＴＲ１、ＰＲ２、ＳＲ２、ＴＲ２）欄の（ＰＲ１）欄に格納する。ここで、詳細メニューとして場所名から［Ｄデパート］が選択された場合、位置コード（ＰＲ１）＝（Ａｒ，Ｘｄ，Ｙｄ）が再生条件情報（ＰＲ１）欄に格納される。
【００８９】
詳細メニューに割り振られたコードが選択されると、情報処理部５６ａは、サービスの選択を完了するか否かを確認する（ステップＳ１９）。これは、留守番電話再生・消去サービス選択完了［ＹＥＳ、ＮＯ］の確認ボタンを条件情報生成部５３ａ表示装置に表示させることにより行うことができる。
【００９０】
［ＮＯ］が選択され、さらにサービスの選択を行う場合（ステップＳ１９：ＮＯ）、情報処理部５６ａは（ステップＳ１５）〜（ステップＳ１７）の手順に戻り、追加の留守番電話再生・消去サービス名の選択とその詳細メニューの選択を行う。
【００９１】
一方、［ＹＥＳ］が選択され、サービスの選択を行わない場合（ステップＳ１９：ＹＥＳ）、情報処理部５６ａは、識別番号ｉ＝２か否かを判定する（ステップＳ２０）。
【００９２】
ｉ＝１の場合（ステップＳ２０：ＮＯ）、情報処理部５６ａは、識別番号ｉ＝１をｉ＝２とし（ステップＳ２３）、電話帳を条件情報生成部５３ａの表示装置に表示させ、着信側の電話番号を入力させる（ステップＳ２２）。例えば、電話端末５０ａを使用するユーザＡが、条件情報生成部５３ａの操作装置を操作して、通話したい相手である電話端末５０ｂの電話番号を選択すると、情報処理部５６ａは、電話端末５０ｂの電話番号＝ＴＮ２をメッセージ・制御情報表の電話識別情報（ＴＮ１、ＴＮ２）のＴＮ２欄に格納し、ステップＳ１５の処理に進み、上述したステップＳ１５〜Ｓ１９の処理により電話端末５０ｂに対する留守番電話再生・消去サービスの再生条件と消去条件の設定を行わせる。この場合、ユーザＡが、電話端末５０ｂについての再生条件と消去条件の設定を終えると（ステップＳ１９：ＹＥＳ）、情報処理部５６ａは、ステップＳ２０の処理に進む。
【００９３】
ｉ＝２の場合（ステップＳ２０：ＹＥＳ）、情報処理部５６ａは、メッセージ・制御情報表の生成を完了する。この状態では、メッセージ・制御情報表の電話番号ＴＮ１、ＴＮ２の行において、希望した留守番電話再生・消去サービスについてのみ再生条件情報と消去条件情報が記憶格納され、他の欄は全て非選択＝［０］が記載されている。
【００９４】
続いて、情報処理部５６ａは、伝言音声信号をメッセージ情報に変換して、メッセージ制御情報を生成し、サービス制御装置２０に送信する（ステップＳ２１）。例えば、［「ピッ」と鳴ったらメッセージをお話ください。］というような案内音声を生成して電話部５１ａのスピーカに供給する。情報処理部５６ａは、電話部５１ａからメッセージの音声信号を受音すると、音声信号をデジタル圧縮符号化してメッセージ情報（ＭＣ）の形式にし、メッセージ・制御情報表のメッセージ情報（ＭＣ）欄に格納し、メッセージ識別情報（ＭＮ）を追加して、サービス制御装置２０宛に、送受信部５２ａを介して送信する。
【００９５】
なお、ステップＳ２１の処理において、サービス制御装置２０宛に送信されるメッセージ・制御情報表の情報は、電話識別情報（ＴＮ１、ＴＮ２）とメッセージ情報（ＭＣ）を含んでいればよく、他の欄の情報は省略するようにしてもよい。
【００９６】
（サービス制御装置２０の動作）
次に、サービス制御装置２０が行う、メッセージ・制御情報表の登録処理手順について、図８を参照して説明する。
【００９７】
サービス制御装置２０内の情報処理部２１は、送受信部２２を介して電話端末５０ａから送信されたメッセージ・制御情報表を受信すると、図８に示す登録処理手順を割り込み起動する（ステップＳ３１）。
【００９８】
情報処理部２１は、受信したメッセージ・制御情報表に基づき、図４に示したメッセージ・制御情報表を生成してメッセージ・制御情報格納部２５に記憶格納する（ステップＳ３２）。なお、本実施の形態では、再生条件情報（ＰＲ１、ＳＲ１、ＴＲ１）と消去条件情報（ＰＥ１、ＳＥ１、ＴＥ１）の欄は生成しなくてもよい。これは、それらの情報が電話端末５０ａ内部に格納されており、電話端末５０ａ内部で使用されるが、サービス制御装置２０では、使用されないからである。
【００９９】
情報処理部２１は、初期値として、再生可否情報（ＰＲｐ１）、（ＳＲｐ１）、（ＴＲｐ１）、（ＰＲｐ２）、（ＳＲｐ２）、（ＴＲｐ２）＝再生不可情報＝（ＮＯ）を該当欄に格納し、消去可否情報（ＰＥｐ１）、（ＳＥｐ１）、（ＴＥｐ１）、（ＰＥｐ２）、（ＳＥｐ２）、（ＴＥｐ２）＝消去不可情報＝（ＮＯ）を該当欄に格納する。
【０１００】
次に、情報処理部２１は、メッセージ・制御情報表中の第２の再生条件情報（ＰＲ２、ＳＲ２、ＴＲ２）と第２の消去条件情報（ＰＥ２、ＳＥ２、ＴＥ２）を取り出し、電話端末５０ｂ宛に転送する（ステップＳ３３）。以上の処理後、情報処理部２１は、割り込み待ちに戻る。なお、図８には図示しないが、電話端末５０ｂにおいて、サービス制御装置２０から第２の再生条件情報（ＰＲ２、ＳＲ２、ＴＲ２）と第２の消去条件情報（ＰＥ２、ＳＥ２、ＴＥ２）を受信すると、情報処理部５６ｂは、それらを情報格納部５５ｂに格納する。
【０１０１】
≪再生条件および消去条件の判定動作≫
次に、登録された再生条件や消去条件が満足されたか否かを判定する手順について、図９を参照して説明する。この図９は、電話端末５０ａ、５０ｂが行う登録された再生条件および消去条件が満足されたか否かを判定する手順を示している。
【０１０２】
情報処理部５６ａは、メインルーチンが生起する定期的割り込みにより（ステップＳ４１）、端末情報生成部５４ａにより端末状態情報（Ｘ１，Ｙ１、ＳＤ１、ＴＤ１）を取得または生成を行わせ、再生条件情報（ＰＲ１、ＳＲ１、ＴＲ１）の条件および消去条件情報（ＰＥ１、ＳＥ１、ＴＥ１）の条件に合致するか否かの第１の判定を行い、再生可否情報（ＰＲｐ１、ＳＲｐ１、ＴＲｐ１）のうち１つでも再生許可である場合に再生許可情報＝（ＯＫ）が含まれた再生可否情報（ＰＲｐ１、ＳＲｐ１、ＴＲｐ１）をサービス制御装置２０宛に送受信部５２ａを介して送信し、消去可否情報（ＰＥｐ１、ＳＥｐ１、ＴＥｐ１）のうち１つでも消去許可である場合に消去許可情報＝（ＯＫ）が含まれた消去可否情報（ＰＥｐ１、ＳＥｐ１、ＴＥｐ１）をサービス制御装置２０宛に送受信部５２ａを介して送信する（ステップＳ４２）。なお、再生可と判定されなかった再生条件情報に対応する再生可否情報は、再生不可情報＝（ＮＯ）としてよい。再生条件が設定されていない再生条件情報に対応する再生可否情報は、非選択＝［０］または再生不可情報＝（ＮＯ）とする。また、消去可と判定されなかった消去条件情報に対応する消去可否情報は、消去不可情報＝（ＮＯ）としてよい。消去条件が設定されていない消去条件情報に対応する消去可否情報は、非選択＝［０］または消去不可情報＝（ＮＯ）とする。
【０１０３】
ここで、端末状態情報（Ｘ１，Ｙ１、ＳＤ１、ＴＤ１、Ｘ２，Ｙ２、ＳＤ２、ＴＤ２）の取得方法について以下に説明する。
【０１０４】
（Ｘ１、Ｙ１、Ｘ２、Ｙ２）
電話端末５０ａが到着指定または出発指定の再生サービスを利用する場合、電話端末５０ａには、位置情報を供給する位置検出装置としてＧＰＳ受信機が内蔵されている。なお、ＧＰＳ受信機を内蔵するのみならず、電話端末５０ａ、５０ｂにＧＰＳ受信機を接続するような構成としてもよい。端末情報生成部５４ａに設けられているＩ／Ｏ回路装置は、ＧＰＳ受信機が出力する経度情報と緯度情報を取得することにより、電話端末５０ａの現在位置を表す現在位置情報を、端末状態情報（Ｘ１，Ｙ１）として取得する。ここで、端末状態情報（Ｘ１，Ｙ１）自体は、一点を表現する情報であるが、この点の周囲、例えば、２０ｍを含む領域を表すものと定義するようにしてもよい。なお、電話端末５０ｂにおける端末状態情報（Ｘ２，Ｙ２）の取得方法についても、上述した電話端末５０ａと同様の手順で行うことができる。
【０１０５】
（ＳＤ１、ＳＤ２）
端末状態情報（ＳＤ１）は、電話端末５０ａの内部の状態、または、電話端末５０ａに接続される任意の機器、装置などの状態に関する情報である。例えば、端末情報生成部５４ａ内に設けたＩ／Ｏ回路手段が取得する情報で、電話端末５０ａに接続されたパソコン装置の非動作状態または非操作状態を表す情報などが挙げられる。なお、電話端末５０ｂの端末状態情報（ＳＤ２）についても同様である。
【０１０６】
（ＴＤ１、ＴＤ２）
端末状態情報（ＴＤ１）は、現在日時を表す情報であり、電話端末５０ａ内部の時計のような時間計数手段により取得できる情報である。電話端末５０ｂの端末状態情報（ＴＤ２）についても同様である。
【０１０７】
（第１の判定方法）
次に、ステップＳ４１において行われる第１の判定の方法と手順について説明する。
【０１０８】
情報処理部５６ａは、情報格納部５５ａに格納しておいた再生条件情報（ＰＲ１）である位置コード（ＰＲ１）を読み出し、端末状態情報（Ｘ１，Ｙ１）と共に、判定部５７ａに渡す。判定部５７ａは、着発識別情報がＡｒかＤｐか判定する。再生条件情報（ＰＲ１）として位置コード（ＰＲ１）＝（Ａｒ，Ｘｄ，Ｙｄ）が設定されている場合、判定部５７ａは、位置コード（ＰＲ１）＝（Ａｒ，Ｘｄ，Ｙｄ）と端末状態情報（Ｘ１，Ｙ１）に基づき、電話端末５０ａの位置が、指定場所を中心にして半径２０ｍ以内の領域に入っているか否かを判定する。このためには、「Ｄ２＝（Ｘｄ−Ｘ１）２＋（Ｙｄ−Ｙ１）２」を演算し、「Ｄ２＜α２」を満たすか否かを判定すればよい。なお、αは、２０ｍに相当する経度、緯度の度数値である。もし、「Ｄ２＜α２」を満たせば、指定された場所に到着していると判定し、再生許可とする。また、「Ｄ２≧α２」であれば、指定された場所に到着していないと判定し、再生不可と判定する。
【０１０９】
再生条件情報（ＰＲ１）として位置コード（ＰＲ１）＝（Ｄｐ，Ｘｄ，Ｙｄ）が設定されている場合、着発識別情報がＡｒかＤｐかの判定結果は、Ｄｐである。この場合も、判定部５７ａは、「Ｄ２＝（Ｘｄ−Ｘ１）２＋（Ｙｄ−Ｙ１）２」を演算する。判定部５７ａは、「Ｄ２＜α２」であれば、指定された場所に未だ居て出発していないと判定し、再生不可とする。また、「Ｄ２≧α２」であれば、指定された場所を出発していると判定し、再生許可と判定する。
【０１１０】
上述した第１の判定では、着発識別情報が到着を表す情報の場合、現在位置情報が示す位置と所望の位置を指定する情報が示す位置とが、αのような予め決められた許容範囲を超えて離れていない場合、再生条件情報または消去条件情報を満足するとの判定を行うことになる。また、着発識別情報が出発を表す情報の場合には、現在位置情報が示す位置と、所定の位置を指定する情報が示す位置とが、αのような予め決められた許容範囲以上離れている場合、再生条件情報または消去条件情報を満足するとの判定を行うことになる。所望の位置を指定する情報が、長方形、矩形、任意の領域を囲む座標データなどである場合には、（Ｘ１、Ｙ１）がその領域の内部にあるか否かの判定処理を行えばよい。このような判定は、周知の代数幾何学の原理により計算式で判定できる。位置コード（ＰＲ１）が、３次元亜表データを含む場合は、３次元の周知の代数幾何学の計算式により、位置コード（ＰＲ１）と位置データ（Ｘ１，Ｙ１，Ｚ１）の相対的近さ、または、距離を計算でき、予め決められた許容範囲以内か、許容範囲以上かの判定処理を行うことができる。なお、情報処理部５６ａが位置コード（ＰＲ１）を読み出し、非選択＝［０］であった場合は、上記の位置コード（ＰＲ１）と位置データ（ＰＤ１）に関わる第１の判定は行わなくてよい。
【０１１１】
再生条件情報（ＳＲ１）として状態コード（ＳＲ１）＝（ｘｘｘｘ）が設定されている場合、判定部５７ａは、状態コード（ＳＲ１）と端末状態情報（ＳＤ１）を比較し、一致するか否か判定する。例えば、状態コード（ＳＲ１）＝（０００１）が設定されており、端末状態情報（ＳＤ１）＝（０００１）の場合、パソコンがシャットダウンされたと判定し、再生許可とする。すなわち、再生条件情報（ＳＲ１）＝状態コード（ＳＲ１）＝（０００１）は、電話端末５０ａに接続されたパソコン装置の非動作または非操作状態を指定する情報とし、端末状態情報（ＳＤ１）＝（０００１）は、パソコン装置の非動作または非操作状態を表す情報とすればよい。なお、情報処理部５６ａが状態コード（ＳＲ１）を読み出し、非選択＝［０］であった場合は、上記の状態コード（ＳＲ１）と状態データ（ＳＤ１）に関わる第１の判定は行わなくてよい。
【０１１２】
状態コード（ＳＲ１）と端末状態情報（ＳＤ１）の比較判定については、上述したような一致または不一致の判定以外の判定もあり得る。一般的に表すと、端末状態情報（ＳＤ１）が再生条件情報（ＳＲ１）と同一と判定される場合に再生許可とし、端末状態情報（ＳＤ１）が消去条件情報（ＳＥ１）と同一と判定される場合に消去許可とする。また、（ＳＲ１）と（ＳＤ１）で表される所定の関数ｆ｛（ＳＲ１），（ＳＤ１）｝がある値、ある値の範囲、または、ある符号になる場合、再生許可とするなどの方式もある。判定部５７ａは、このような関数式の演算と演算結果の判定を行う。
【０１１３】
再生条件情報（ＴＲ１）として、時刻コード＝（月、日、時、分）が設定されている場合、判定部５７ａは、端末状態情報（ＴＤ１）の（月、日、時、分）データと比較し、指定日時に到達していれば、再生許可とする。なお、情報処理部５６ａが時刻コード（ＴＲ１）を読み出し、非選択＝［０］であった場合は、上記の時刻コード（ＴＲ１）と時刻データ（ＴＤ１）に関わる第１の判定は行わなくてよい。
【０１１４】
消去条件情報（ＰＥ１、ＳＥ１、ＴＥ１）についても、同様の方法で第１の判定を行う。また、非選択＝［０］である消去条件情報に関しては、第１の判定を行わなくてもよい。
【０１１５】
このような第１の判定を行った結果、端末状態情報（Ｘ１，Ｙ１、ＳＤ１、ＴＤ１）のいずれかが再生条件情報（ＰＲ１、ＳＲ１、ＴＲ１）について再生条件を満足する場合、判定部５７ａは、再生許可情報＝（ＯＫ）を含む再生可否情報（ＰＲｐ１、ＳＲｐ１、ＴＲｐ１）を生成して情報処理部５６ａに送出する。情報処理部５６ａは、受け取った再生可否情報に電話識別情報（ＴＮ１）を付して、サービス制御装置２０宛に第１の送受信部５２ａを介して送信させる。また、端末状態情報（Ｘ１，Ｙ１、ＳＤ１、ＴＤ１）のいずれかが消去条件情報（ＰＥ１、ＳＥ１、ＴＥ１）について消去条件を満足する場合、消去許可情報＝（ＯＫ）を含む消去可否情報（ＰＥｐ１、ＳＥｐ１、ＴＥｐ１）を、電話識別情報（ＴＮ１）を付して、サービス制御装置２０宛に第１の送受信部５２ａを介して送信する。端末状態情報（Ｘ１，Ｙ１、ＳＤ１、ＴＤ１）が設定されている再生条件と消去条件の１つも満足しない場合、再生可否情報も消去可否情報も送信しなくてもよい。
【０１１６】
以上説明したように、電話端末５０ｂにおいても、上述した電話端末５０ａにおける第１の判定と同様の第２の判定が行われる。具体的には、判定部５７ｂが、再生条件情報（ＰＲ２、ＳＲ２、ＴＲ２）、消去条件情報（ＰＥ２、ＳＥ２、ＴＥ２）と端末状態情報（Ｘ２，Ｙ２、ＳＤ２、ＴＤ２）の間で行い、再生条件と消去条件のいずれかを満足する場合、再生可否情報（ＰＲｐ２、ＳＲｐ２、ＴＲｐ２）または消去可否情報（ＰＥｐ２、ＳＥｐ２、ＴＥｐ２）を生成する。情報処理部５６ｂは、その再生可否情報または消去可否情報を、サービス制御装置２０宛に電話識別情報（ＴＮ２）を付して第２の受信部５２ｂを介して送信する。
【０１１７】
なお、後述するような、再生条件や消去条件から複数項目を選んで組み合わせた条件を再生条件や消去条件としない場合は、再生可否情報（ＰＲｐ１、ＳＲｐ１、ＴＲｐ１）うちの３つの情報を１つにまとめるようにしてもよい。（ＰＲｐ１）、（ＳＲｐ１）、（ＴＲｐ１）のうち１つでも再生許可情報＝（ＯＫ）であれば、再生可否情報（ＰＲｐ１）＝（ＳＲｐ１）＝（ＴＲｐ１）＝（ＯＫ）を１つだけ、サービス制御装置２０宛に送信してもよい。消去可否情報についても同様である。
【０１１８】
≪留守番メッセージの再生動作および消去動作≫
次に、図１０，図１１を参照して、留守番メッセージの再生動作および消去動作について説明する。
【０１１９】
サービス制御装置２０の情報処理部２１は、電話端末５０ａまたは電話端末５０ｂから再生可否情報（ＰＲｐ１、ＳＲｐ１、ＴＲｐ１）、消去可否情報（ＰＥｐ１、ＳＥｐ１、ＴＥｐ１）、再生可否情報（ＰＲｐ２、ＳＲｐ２、ＴＲｐ２）または消去可否情報（ＰＥｐ２、ＳＥｐ２、ＴＥｐ２）のいずれかを送受信部２２を介して受信すると、このたびに第３の判定を行い、再生条件や消去条件が満足された場合に、格納されている留守番メッセージを供給して電話端末５０ｂに再生させる、または、格納されている留守番メッセージを消去する。
【０１２０】
図１０に示すように、情報処理部２１は、送受信部２２を介して再生可否情報（ＰＲｐ１、ＳＲｐ１、ＴＲｐ１）、消去可否情報（ＰＥｐ１、ＳＥｐ１、ＴＥｐ１）、再生可否情報（ＰＲｐ２、ＳＲｐ２、ＴＲｐ２）または消去可否情報（ＰＥｐ２、ＳＥｐ２、ＴＥｐ２）のいずれかを受信すると、情報処理部２１のメインルーチンにおいて割り込みが発生し（ステップＳ５１）電話番号ＴＮｉからの受信情報に基づき再生可否情報、消去可否情報を更新する（ステップＳ５２）。すなわち、メッセージ・制御情報格納部２５に格納されている図４に示すメッセージ・制御情報表の再生可否情報（ＰＲｐ１、ＳＲｐ１、ＴＲｐ１）、消去可否情報（ＰＥｐ１、ＳＥｐ１、ＴＥｐ１）、再生可否情報（ＰＲｐ２、ＳＲｐ２、ＴＲｐ２）または消去可否情報（ＰＥｐ２、ＳＥｐ２、ＴＥｐ２）のレコードを更新する。
【０１２１】
再生可否情報および消去可否情報を更新すると、情報処理部２１は、再生可否情報に再生許可情報＝（ＯＫ）があるか否かを判定する第３の判定を行う（ステップＳ５３）。すなわち、再生可否情報の中に再生許可情報＝（ＯＫ）が１つでもあるか否かを判定する。
【０１２２】
再生許可情報＝（ＯＫ）が存在する場合（ステップＳ５４：ＹＥＳ）、情報処理部２１は、交換機１０（または交換機網）に対して電話端末５０ａ宛の発呼指示を行うとともに、交換機１０と電話端末５０ｂとの間に通話チャネルが形成した後、メッセージ・制御情報表からメッセージ情報（ＭＣ）を読み出して電話端末５０ｂ宛に送信する（ステップＳ５５）。これにより、電話端末５０ｂでは、図１１に示すように、割り込みが発生し（ステップＳ６１）、受信したメッセージ情報（ＭＣ）が音声信号に変換され、電話部５１ｂのスピーカに供給される（ステップＳ６２）。これにより、電話端末５０ｂのユーザＢは、留守番メッセージを聞くことができる。
【０１２３】
第３の判定において、再生可否情報に再生許可情報が１つも含まれていない場合（ステップＳ５４：ＮＯ）、情報処理部２１は、留守番メッセージの再生を行わず、ステップＳ５６の処理に進む。
【０１２４】
続いて、情報処理部２１は、消去可否情報が消去許可情報を含むか否かの第３の判定を行う（ステップＳ５６）。すなわち、消去可否情報の中に再生許可情報＝（ＯＫ）が１つでもあるか否かを判定する。
【０１２５】
消去許可情報＝（ＯＫ）が存在する場合（ステップＳ５６：ＹＥＳ）、情報処理部２１は、メッセージ・制御情報表のメッセージ情報（ＭＣ）欄の内容を［０］に書き換える、または、メッセージ・制御情報表を消去する（ステップＳ５８）。この後、割り込み待ちに戻る。
【０１２６】
第３の判定において、消去可否情報に消去許可情報＝（ＯＫ）が１つも含まれていない場合（ステップＳ５６：ＮＯ）、情報処理部２１は、割り込み待ちに戻る。
【０１２７】
メッセージ識別情報（ＭＮ）は、電話端末５０ａが電話端末５０ｂ宛に複数の留守番メッセージを送る場合に、どの留守番メッセージであるかの識別に使用される。留守番メッセージ毎に異なる再生条件や消去条件が設定される場合、再生可否情報や消去可否情報がどの留守番メッセージに関するものか区別する必要があるので、再生可否情報や消去可否情報をサービス制御装置２０宛に送信する際にメッセージ識別情報（ＭＮ）も一緒に送信する。サービス制御装置２０では、メッセージ識別情報（ＭＮ）が一致するメッセージ情報（ＭＣ）について、第３の判定を行う。
【０１２８】
サービス制御装置２０では、電話識別情報（ＴＮ１、ＴＮ２）とメッセージ識別情報（ＭＮ）があれば、全ての留守番メッセージを混乱なく別々に管理することができる。電話端末５０ａからサービス制御装置２０宛の通信において、電話識別情報（ＴＮ１、ＴＮ２）とメッセージ識別情報（ＭＮ）は、サービス制御装置２０に届けられる。受信側の電話端末５０ｂが、電話端末５０ａを含む複数の発信側の電話端末から留守番メッセージを受ける場合も想定される。電話端末５０ｂ宛にも、電話識別情報（ＴＮ１、ＴＮ２）とメッセージ識別情報（ＭＮ）を、サービス制御装置２０からまたは電話端末５０ａから送っておくようにすれば、留守番メッセージの管理をより容易に行うことができる。この送信は、ステップＳ２１、Ｓ３２、Ｓ３３などの処理の際に行うようにすればよい。
【０１２９】
情報処理部５６ａが、メッセージ情報（ＭＣ）とメッセージ識別情報（ＭＮ）を電話端末５０ｂに送信しておけば、電話端末５０ｂからメッセージ識別情報（ＭＮ）をサービス制御装置２０宛に送信することにより、留守番メッセージを繰り返して聞くことができる。また、電話端末５０ｂが、メッセージ情報（ＭＣ）を受信した時に、情報格納部５５ｂに格納しておくことにより、繰り返し聞けるようにしてもよい。留守番メッセージの聞きなおし、聞いたあとの消去の機能自体は、携帯電話で既に提供されている。これらで実施されている方式を用いるようにしてもよい。ユーザＢが、留守番メッセージを聞いた後、消去を指示すると、本実施の形態に係る留守番電話制御システムでは、メッセージ・制御情報格納部２５内部のメッセージ・制御情報表の情報を削除することになる。
【０１３０】
なお、サービス制御装置２０は、通常、加入者交換機とは別になっているので、加入者交換機に対して電話端末５０ｂ宛の発呼を行わせることになる。サービス制御装置２０に電話端末５０ａ、５０ｂが接続されている場合、サービス制御装置２０が電話端末５０ｂに対して直接発呼を行うことになる。これは、構内電話など小規模の電話回線の場合などに実施されること想定される。
【０１３１】
図５、図６を参照して説明した各種の留守番電話再生・消去サービスは、通常、いずれかが単一で選択使用される。なお、この場合においても、電話端末５０ａと電話端末５０ｂとでは、異なる留守番電話再生・消去サービスを選択して設定してもよいし、一方の電話端末については留守番電話再生・消去サービスを非選択としてもよい。
【０１３２】
なお、ｉ＝１には、留守番電話再生・消去サービスを設定し、留守番メッセージを送る送信側の電話端末自身に関する電話番号ＴＮ１、各種再生条件および消去条件や各種端末状態情報などが格納される。
【０１３３】
上述した各種の制御情報などの送信においては、通常、制御情報送信用の電文（情報）を生成してその電文を送信する。電文のフォーマットの形式は、基本的な形態が種々知られており、それらの形態にしたがって作成すればよい。通常、電文のフォーマットには、発信元、受信先のアドレス、搭載情報の識別子、搭載情報、誤り検出符号や誤り訂正符号、電文長情報、同期符号などが含まれる構成とされることが多い。
【０１３４】
留守番電話再生・消去サービスは、上述したサービスに限定されず、サービスに応じた再生条件情報と消去条件情報、端末状態情報を定義して該当欄を設けることにより、各種サービスに適用することができる。また、電話会社などが上述した留守番電話再生・消去サービスの全てを提供しない場合には、提供する留守番電話再生・消去サービスについてのみ、メッセージ・制御情報表の欄があればよいことは言うまでもない。
【０１３５】
また、本実施の形態では、メッセージ・制御情報表として、全留守番電話再生・消去サービスに関する情報記載欄を設けるように説明したが、選択された留守番電話再生・消去サービスに関する再生条件情報と消去条件情報や端末状態情報のみを送信するようにしてもよい。すなわち、電話端末５０ａにおいて、再生条件情報と消去条件情報として上述したように予め複数種類用意されたものから選択し、電話端末５０ｂは、自身に対する再生条件情報と消去条件情報の選択または非選択の通知を受け、選択されている再生条件情報と消去条件情報に対応する端末状態情報だけを送信するようにする。この場合は、送信した情報が、どの留守番電話再生・消去サービスのコードやデータか識別する識別コードを決めて付加する必要がある。データや情報にその情報の識別情報を付加して送信する技術については、周知の技術を用いることにより実現することができる。
【０１３６】
また、電話端末５０ａ、５０ｂにおける到着指定再生サービス、出発指定再生サービス、端末状態指定再生サービス、日時指定再生サービスを複数組み合わせ、それらが全部満足される場合に、留守番メッセージの再生や消去を行うようにするようにしてもよい。いわゆる組み合わせメニューである。例えば、ｙｙ年ｍｍ月ｄｄ日ｔ時ｍ分までにＤデパートに到着した場合に、留守番メッセージを再生させる、というようにすることもできる。この場合、再生可否情報（ＰＲｐ２、ＳＲｐ２、ＴＲｐ２）において、再生可否情報（ＴＲｐ２＝ＯＫ）になる前に、再生可否情報（ＰＲｐ２＝ＯＫ）となるか否かの判定を再生条件情報を満足するか否かの第３の判定を行うようにすればよい。
【０１３７】
また、ユーザＡが居酒屋を出発し、ユーザＢが仕事を終わってパソコンをシャットダウンしたときに留守番メッセージの再生を行うという場合、電話端末５０ａにおいて、再生条件情報（ＰＲ１）として（Ｄｐ，Ｘｅ，Ｙｅ）を設定し、電話端末５０ｂにおいて、再生条件情報（ＳＲ２）として状態コード（ＳＲ２）＝（０００１）を設定しておき、再生可否情報（ＰＲｐ１、ＳＲｐ１、ＴＲｐ１、ＰＲｐ２、ＳＲｐ２、ＴＲｐ２）において、（ＰＲｐ１）＝（ＯＫ）、（ＳＲｐ２）＝（ＯＫ）を同時に満足した場合に、留守番メッセージの再生を行えばよい。このような場合には、（ＰＲｐ１）、（ＳＲｐ１）、（ＴＲｐ１）、（ＰＲｐ２）、（ＳＲｐ２）、（ＴＲｐ２）の情報により作られる論理演算式が、組み合わせメニュー用の第３の判定の規則になる。したがって、このような組み合わせ方についての選択ができるように、条件情報生成部５３ａ、５３ｂに組み合わせメニューを複数種類用意しておき、図７のフローチャートの中で組み合わせメニューリストを表示し、ユーザＡの操作にしたがって、組み合わせメニューを決定する手順を追加すればよい。サービス制御装置２０では、その組み合わせメニューに対応する論理演算式の演算を、判定部２４において実行すればよい。各組み合わせメニューに対応する論理演算式は、予め、サービス制御装置２０の判定部２４または情報格納部２３に格納しておく。論理演算式は、符号、数値などの比較、ＡＮＤ、ＯＲ、ＥＸ−ＯＲ、加算、減算、乗算などの組み合わせにより表現される。論理演算式の変数は、（ＰＲｐ１）、（ＳＲｐ１）、（ＴＲｐ１）、（ＰＲｐ２）、（ＳＲｐ２）、（ＴＲｐ２）の情報である。
【０１３８】
上述した組み合わせメニューは、個々の再生条件が満足される順序によっても規定される場合がある。例えば、ユーザＡがＤデパートに到着する前に、ユーザＢが居酒屋を出発した場合に留守番メッセージを再生する、というような条件である。このような場合、（ＰＲｐ１）、（ＳＲｐ１）、（ＴＲｐ１）、（ＰＲｐ２）、（ＳＲｐ２）、（ＴＲｐ２）の情報により作られる論理演算式には、各情報の変化の時系列のパターンが組み込まれる形式になる。各情報の変化の時系列パターンを表す条件パターン・テンプレートを用意し、現実に起きる各情報の変化の時系列のパターンが条件パターン・テンプレートに合致した場合に、再生許可または消去許可の第３の判定を行うようにしてもよい。
【０１３９】
電話端末５０ａでは、組み合わせメニューがどれであるか分かるように、組み合わせメニュー毎に割り振られた組み合わせメニュー識別子を、メッセージ・制御情報表に追加してサービス制御装置２０宛に送信し、メッセージ・制御情報格納部２５に格納するようにしてもよい。このように電話端末５０ａと電話端末５０ｂのそれぞれの状態が組み合わさった再生条件の場合は、再生条件情報の設定は、電話端末５０ａ側でまとめて行う方が望ましいが、ユーザＡとユーザＢが連絡を取って、個別に行うようにしてもよい。
【０１４０】
また、電話端末５０ａの再生条件情報（ＰＲ１、ＳＲ１、ＴＲ１）のみの組み合わせによって電話端末５０ａ側の条件に関して再生の可否が決まる場合には、判定部５７ａ内に組み合わせメニューに対応する第１の判定の論理演算式を用意しておき、論理演算式により第１の判定を行い、第１の判定の結果をサービス制御装置２０に送るようにしてもよい。この場合、サービス制御装置２０は、電話端末５０ｂからの再生可否情報（ＰＲｐ２、ＳＲｐ２、ＴＲｐ２）とも組み合わせて第３の判定を行うことになる。
【０１４１】
上述したような組み合わせメニューは、消去サービスについても同様の考え方により実施可能である。
【０１４２】
以上説明したように、本実施の形態によれば、発信側や受信側の状態の変化に合わせて、留守番メッセージの再生や消去を行うことができる。また、留守番メッセージをサービス制御装置において集中管理しやすい。
【０１４３】
なお、本実施の形態における処理は、ソフトウェアで実現するようにしてもよい。このとき、このソフトウェアをソフトウェアダウンロード等により配布するようにしてもよい。また、そのソフトウェアをＣＤ−ＲＯＭなどの記録媒体に記録して配布するようにしてもよい。なお、このことは、後述する他の実施の形態においても該当する。
【０１４４】
［第２の実施の形態］
次に、本発明の第２の実施の形態について、詳細に説明する。なお、本実施の形態において、第１の実施の形態と同等の構成要素については、同じ名称および符号を付し、適宜説明を省略する。
【０１４５】
上述した第１の実施の形態では、発信側の電話端末５０ａにおいて、自身の再生条件情報と消去条件情報のみならず、受信側の電話端末５０ｂに関する再生条件情報（ＰＲ２、ＳＲ２、ＴＲ２）および消去条件情報（ＰＥ２、ＳＥ２、ＴＥ２）をも設定するようにした。しかしながら、受信側のユーザＢが、再生条件情報（ＰＲ２、ＳＲ２、ＴＲ２）や消去条件情報（ＰＥ２、ＳＥ２、ＴＥ２）を設定するのが好ましい留守番電話再生・消去サービスも存在する。そこで、本実施の形態は、図７を参照して説明した処理を電話端末５０ｂの情報処理部５６ｂが実行できるようにしたものである。
【０１４６】
ユーザＢが条件情報生成部５３ｂの操作装置を操作すれば、情報処理部５６ｂは、再生条件情報（ＰＲ２、ＳＲ２、ＴＲ２）、消去条件情報（ＰＥ２、ＳＥ２、ＴＥ２）を選択および設定することができる。このとき、ステップＳ２１における、電話端末５０ｂからメッセージ・制御情報表をサービス制御装置２０宛に送信する処理は不要である。すなわち、留守番メッセージの発声案内があっても、電話端末５０ｂは受信側であり、ユーザＢは、音声入力せず、時間切れで、情報処理部５６ｂは、ステップＳ２１を処理することになる。このとき、メッセージ情報（ＭＣ）は生成されない。また、電話端末５０ｂにとって、ｉ＝１が自身になるので、電話識別情報（ＴＮ１）、再生条件情報（ＰＲ１、ＳＲ１、ＴＲ１）、消去条件情報（ＰＥ１、ＳＥ１、ＴＥ１）の欄に、ＴＮ２、ＰＲ２、ＳＲ２、ＴＲ２、ＰＥ２、ＳＥ２、ＴＥ２が格納され、その他の欄は、［０］のままとなる。
【０１４７】
なお、図７に示すフローチャートに、留守番メッセージを送るか否かを判断するステップを設け、電話端末５０ｂ自身の再生条件情報や消去条件情報の設定のみを行う処理ルーチンを設け、留守番メッセージを送らない選択をした場合、電話識別情報（ＴＮ２）、再生条件情報（ＰＲ２、ＳＲ２、ＴＲ２）、消去条件情報（ＰＥ２、ＳＥ２、ＴＥ２）の欄に、ＴＮ２、ＰＲ２、ＳＲ２、ＴＲ２、ＰＥ２、ＳＥ２、ＴＥ２が格納されるようにしてもよい。
【０１４８】
一般的に、留守番電話のメッセージの送信に関して、ユーザＡとユーザＢが事前に打ち合わせることは、全くないと言うことはできない。本実施の形態は、打合せにしたがって、ユーザＡとユーザＢが、それぞれ電話端末５０ａ、５０ｂを操作して、再生条件と消去条件を選択、設定する場面で活用することができる。また、ユーザＢがユーザＡから留守番電話のメッセージを受信することを知らない場合では、ユーザＢは、電話端末５０ｂを操作して、自身の都合に合った再生条件と消去条件を選択、設定することになる。
【０１４９】
このように、本実施の形態によれば、電話端末５０ｂにより、電話端末５０ｂの再生条件情報と消去条件情報の一方または両方を設定することができる。
【０１５０】
［第３の実施の形態］
次に、本発明の第３の実施の形態について、詳細に説明する。なお、本実施の形態は、サービス制御装置２０が、上述した第３の判定に加えて、第１の判定と第２の判定も行うものである。したがって、本実施の形態において、第１の実施の形態と同等の構成要素については、同じ名称および符号を付し、適宜説明を省略する。
【０１５１】
図１２に示すように、本実施の形態は、図２に示した第１の実施の形態から電話端末５０ａの判定部５７ａと電話端末５０ｂの判定部５７ｂを削除し、かつ、サービス制御装置２０に第１の判定部２６と第２の判定部２７を設け、これらをサービス制御装置２０の情報処理部２１に接続したものである。
【０１５２】
図７を参照して説明した電話端末５０ａが行うメッセージ・制御情報表の生成処理、図８と図１０を参照して説明したサービス制御装置２０による処理は、本実施の形態においても基本的に同じ処理でよいが、上述した構成の相違に対応して、一部の変更が必要である。以下、第１の実施の形態と異なる部分を中心に説明する。
【０１５３】
本実施の形態においては、図７のステップＳ２１においてサービス制御装置２０宛に送信されるメッセージ・制御情報表の情報は、電話識別情報（ＴＮ１、ＴＮ２）、再生条件情報（ＰＲ２、ＳＲ２、ＴＲ２）、消去条件情報（ＰＥ２、ＳＥ２、ＴＥ２）、および、メッセージ情報（ＭＣ）を含んでいればよく、他の欄は省略するようにしてもよい。
【０１５４】
図９のフローチャートと共に説明した第１の判定と第２の判定は、サービス制御装置２０の第１の判定部２６と第２の判定部２７が行う。このため、ステップＳ４２において、電話端末５０ａは、端末状態情報（Ｘ１，Ｙ１、ＳＤ１、ＴＤ１）を端末情報生成部５４ａにより取得し、情報処理部５６ａは、取得した端末状態情報（Ｘ１，Ｙ１、ＳＤ１、ＴＤ１）をサービス制御装置２０宛に送信する。また、電話端末５０ｂは、端末状態情報（Ｘ２，Ｙ２、ＳＤ２、ＴＤ２）を端末情報生成部５４ｂにより取得し、情報処理部５６ｂは、取得した端末状態情報（Ｘ２，Ｙ２、ＳＤ２、ＴＤ２）をサービス制御装置２０宛に送信する。
【０１５５】
サービス制御装置２０が、上記の端末状態情報（Ｘ１，Ｙ１、ＳＤ１、ＴＤ１）または端末状態情報（Ｘ１，Ｙ１、ＳＤ１、ＴＤ１）を受信すると、情報処理部２１は、図１０のフローチャートの割り込みを生起して、ステップＳ５２の処理に進む。ステップＳ５２において、サービス制御装置２０の情報処理部２１は、端末状態情報（Ｘ１，Ｙ１、ＳＤ１、ＴＤ１）を受信した場合、再生条件情報（ＰＲ１、ＳＲ１、ＴＲ１）をメッセージ・制御情報格納部２５から読み出して、端末状態情報（Ｘ１，Ｙ１、ＳＤ１、ＴＤ１）と共に第１の判定部２６に渡し、第１の判定を行わせて、判定結果である再生可否情報（ＰＲｐ１、ＳＲｐ１、ＴＲｐ１）、消去可否情報（ＰＥｐ１、ＳＥｐ１、ＴＥｐ１）を更新する。また、情報処理部２１は、端末状態情報（Ｘ２，Ｙ２、ＳＤ２、ＴＤ２）を受信した場合、再生条件情報（ＰＲ２、ＳＲ２、ＴＲ２）をメッセージ・制御情報格納部２５から読み出して、端末状態情報（Ｘ２，Ｙ２、ＳＤ２、ＴＤ２）と共に第２の判定部２７に送出し、第２の判定を行わせて判定結果である再生可否情報（ＰＲｐ２、ＳＲｐ２、ＴＲｐ２）または消去可否情報（ＰＥｐ２、ＳＥｐ２、ＴＥｐ２）を更新する。この後、図１０のステップＳ５３からステップＳ５８の手順、すなわち、第３の判定と判定結果に基づく、留守番メッセージの再生や消去を実行する。
【０１５６】
なお、本実施の形態においても、上述した第２の実施の形態のように、電話端末５０ｂが、自身における再生条件と消去条件の選択、設定を行うようにしてもよい。
【０１５７】
また、第１の判定部２６と第２の判定部２７は、同じ動作を行うので何れか一方のみを設けるようにしてもよい。なお、電話装置５０ａに関する端末状態情報、再生条件情報、消去条件情報による第１の判定を行う場合は第１の判定部２６になり、電話装置５０ｂに関する端末状態情報、再生条件情報、消去条件情報による第２の判定を行う場合は第２の判定部２７として動作するので、第１の判定部２６と第２の判定部２７の両方の機能を兼ねることが必要であり、実質的に、第１の判定部２６と第２の判定部２７が存在することとなる。
【０１５８】
以上説明したように、本実施の形態によれば、発信側や受信側の状態の変化に合わせて、留守番メッセージの再生や消去を行うことができる。また、留守番メッセージをサービス制御装置において集中管理しやすい。
【０１５９】
［第４の実施の形態］
次に、本発明の第４の実施の形態について、詳細に説明する。なお、本実施の形態において、上述した第１〜第３の実施の形態と同等の構成要素については、同じ名称および符号を付し、適宜説明を省略する。
【０１６０】
上述した第１〜第３の実施の形態では、メッセージ・制御情報格納部２５をサービス制御装置２０に設け、留守番メッセージを交換機１０を介して受信側の電話端末５０ｂに届けるようにしたが、留守番メッセージは、受信側の電話端末５０ｂが再生するものであるから、受信側に保存しておくようにしてもよい。そこで、本実施の形態は、留守番メッセージを受信側に保存するようにしたものである。
【０１６１】
図１３に示すように、本実施の形態に係る留守番電話制御システムは、図２に示した第１の実施の形態に係る留守番電話制御システムから、サービス制御装置２０のメッセージ・制御情報格納部２５と判定部２４を削除し、かつ、受信側の電話端末５０ｂにメッセージ・制御情報格納部５８ｂと第３の判定部５９ｂを設けたものである。ここで、メッセージ・制御情報格納部５８ｂと第３の判定部５９ｂの機能、動作は、メッセージ・制御情報格納部２５と判定部２４とほぼ同様である。
【０１６２】
＜留守番電話制御システムの動作＞
次に、本実施の形態に係る留守番電話制御システムの動作について説明する。
【０１６３】
≪再生条件および消去条件の登録動作≫
電話端末５０ａは、図７を参照して説明した処理にしたがって、再生条件と消去条件を選択、設定し、図４に示すようなメッセージ・制御情報表を生成する。ステップＳ２１の処理を実行することにより送信されるメッセージ・制御情報表をサービス制御装置２０が受信すると、図１４に示すように、割り込みが発生し（ステップＳ７１）、情報処理部２１は、受信したメッセージ・制御情報表を電話端末５０ｂ宛に転送する（ステップＳ７２）。
【０１６４】
電話端末５０ｂにおいて、メッセージ・制御情報表を受信すると、情報処理部５６ｂは、図１５に示すように割り込みが発生し（ステップＳ８１）、メッセージ・制御情報表をメッセージ・制御情報格納部５８ｂに格納する（ステップＳ８２）。メッセージ・制御情報表の情報のうち、電話識別情報（ＴＮ１、ＴＮ２）とメッセージ情報（ＭＣ）のみが送信される場合、情報処理部５６ｂは、メッセージ・制御情報表の電話識別情報（ＴＮ１、ＴＮ２）欄とメッセージ情報（ＭＣ）欄と再生可否情報の欄と消去可否情報の欄を少なくとも生成する。上述したような処理により、（１）再生条件や消去条件を選択または生成し、留守番メッセージと再生条件や消去条件を登録格納する手順が終了する。
【０１６５】
≪再生条件および消去条件の判定動作≫
次に、（２）登録された再生条件や消去条件が満足されたか否かを判定する処理について、図１６，図１７を参照して説明する。
【０１６６】
図１６に示すように、電話端末５０ａでは、情報処理部５６ａにおいて一定時間間隔で割り込みが発生し（ステップＳ９１）、端末情報生成部５４ａにより、端末状態情報（Ｘ１，Ｙ１、ＳＤ１、ＴＤ１）を取得または生成させ、再生条件情報（ＰＲ１、ＳＲ１、ＴＲ１）を満足するか否か、および、消去条件情報（ＰＥ１、ＳＥ１、ＴＥ１）を満足するか否かを判定する第１の判定を行う（ステップＳ９２）。再生許可がある場合には再生許可情報＝（ＯＫ）が含まれた再生可否情報（ＰＲｐ１、ＳＲｐ１、ＴＲｐ１）を、消去許可がある場合には、消去可情報＝（ＯＫ）が含まれた消去可否情報（ＰＥｐ１、ＳＥｐ１、ＴＥｐ１）を、電話識別情報（ＴＮ１）と共にサービス制御装置２０宛に送受信部５２ａを介して送信する。この処理は、上述したステップＳ４２の処理と同等である。処理が終わると、割り込み待ちに戻る。なお、本実施の形態において、上述した第１の判定についての手順は、第１の実施の形態において、留守番電話再生・消去サービスメニュー毎に説明した手順の例と同様である。
【０１６７】
サービス制御装置２０は、上記ステップＳ９２において電話端末５０ａから送信された再生可否情報（ＰＲｐ１、ＳＲｐ１、ＴＲｐ１）、消去可否情報（ＰＥｐ１、ＳＥｐ１、ＴＥｐ１）の一方または両方を受信すると、情報処理部２１により、割り込みを発生させて、図１４のステップＳ７２の処理を行う。このステップＳ７２において、情報処理部２１は、受信した再生可否情報と消去可否情報を電話端末５０ｂ宛に転送する。
【０１６８】
なお、再生可否情報（ＰＲｐ１、ＳＲｐ１、ＴＲｐ１）や消去可否情報（ＰＥｐ１、ＳＥｐ１、ＴＥｐ１）と電話識別情報（ＴＮ１）は、上述したようにサービス制御装置２０宛を介して電話端末５０ｂに送信する代わりに、サービス制御装置２０を介さず、電話端末５０ｂ宛に送信してもよい。
【０１６９】
電話端末５０ｂにおいて、情報処理部５６ｂは、図１７に示すように一定時間間隔で割り込みが発生し（ステップＳ１０１）、上述した第１の判定と同様の第２の判定を、電話端末５０ｂの再生条件情報（ＰＲ２、ＳＲ２、ＴＲ２）、消去条件情報（ＰＥ２、ＳＥ２、ＴＥ２）と端末状態情報（Ｘ２，Ｙ２、ＳＤ２、ＴＤ２）の間で行い、再生条件と消去条件のいずれかを満足する場合、メッセージ・制御情報格納部５８ｂに格納されているメッセージ・制御情報表の再生可否情報（ＰＲｐ２、ＳＲｐ２、ＴＲｐ２）欄と消去可否情報（ＰＥｐ２、ＳＥｐ２、ＴＥｐ２）欄内の、再生条件満足に該当する再生可否情報欄を、再生不可情報＝（ＮＯ）から再生許可情報＝（ＯＫ）に更新し、消去条件満足に該当する消去可否情報欄を、消去不可情報＝（ＮＯ）から消去許可情報＝（ＯＫ）に更新する（ステップＳ１０２）。
【０１７０】
再生条件と消去条件の何れも全く満足しない場合（ステップＳ１０３：ＮＯ）、情報処理部５６ｂは、割り込み待ちに戻る。
【０１７１】
一方、再生条件と消去条件の何れか一方を満足した場合（ステップＳ１０３：ＹＥＳ）、情報処理部５６ｂは、ステップＳ１０６の処理に進む。
【０１７２】
また、電話端末５０ｂが、サービス制御装置２０経由で電話端末５０ａから送信された再生可否情報（ＰＲｐ１、ＳＲｐ１、ＴＲｐ１）、消去可否情報（ＰＥｐ１、ＳＥｐ１、ＴＥｐ１）の一方または両方を受信すると、情報処理部５６ｂは、割り込みを発生させ（ステップＳ１０４）、情報処理部２１から受信した再生可否情報と消去可否情報をメッセージ・制御情報表に格納して格納内容を更新し（ステップＳ１０５）、ステップＳ１０６の処理に進む。
【０１７３】
ステップＳ１０６〜Ｓ１１１において、情報処理部５６ｂは、最新の再生可否情報（ＰＲｐ１、ＳＲｐ１、ＴＲｐ１）、消去可否情報（ＰＥｐ１、ＳＥｐ１、ＴＥｐ１）、再生可否情報（ＰＲｐ２、ＳＲｐ２、ＴＲｐ２）または消去可否情報（ＰＥｐ２、ＳＥｐ２、ＴＥｐ２）に基づき、第３の判定を第３の判定部５９ｂに行わせ、この判定結果に基づき、留守番メッセージの再生または消去処理を行う。この処理手順は、上述した第１の実施の形態１において図１０を参照して説明したステップＳ５３〜ステップＳ５８の処理と同じである。情報処理部５６ｂは、ステップＳ１１１の処理の後、割り込み待ちに戻る。
【０１７４】
上述した図１３では、メッセージ・制御情報格納部５８ｂと第３の判定部５９ｂを電話端末５０ｂだけに設けたが、電話端末５０ａの方が受信側になる場合もあり得る。この場合には、電話端末５０ａも電話端末５０ｂと同様の構成にすることにより、実現することができる。
【０１７５】
なお、本実施の形態においても、上述した第２の実施の形態のように、電話端末５０ｂが、自身における再生条件と消去条件の選択、設定を行うようにしてもよい。
【０１７６】
以上説明したように、本実施の形態によれば、発信側や受信側の状態の変化に合わせて、留守番メッセージの再生や消去を行うことができる。留守番メッセージを第２の電話端末内に格納するので、迅速に留守番メッセージの再生ができる。
［第５の実施の形態］
次に、本発明の第５の実施の形態について、詳細に説明する。なお、本実施の形態において、第１〜第４の実施の形態と同等の構成要素については、同じ名称および符号を付し、適宜説明を省略する。
【０１７７】
図１８に示すように、本実施の形態に係る留守番電話制御システムは、受信側の電話端末５０ｂに、メッセージ・制御情報格納部５８ｂと第１の判定部６０ｂ、判定部５７ｂ、第３の判定部５９ｂを設けたものであるメッセージ・制御情報格納部５８ｂと第１の判定部６０ｂ、判定部５７ｂ、第３の判定部５９ｂに供給される情報、メッセージ・制御情報格納部５８ｂと第１の判定部６０ｂ、判定部５７ｂ、第３の判定部５９ｂが出力する情報は、上述した第１〜第４の実施の形態において説明した情報と同様である。
【０１７８】
電話端末５０ｂにおける第１の判定部６０ｂが実行する再生条件情報（ＰＲ１、ＳＲ１、ＴＲ１）と端末状態情報（Ｘ１，Ｙ１、ＳＤ１、ＴＤ１）に基づく第１の判定は、判定部５７ｂが実行する再生条件情報（ＰＲ２、ＳＲ２、ＴＲ２）と端末状態情報（Ｘ２，Ｙ２、ＳＤ２、ＴＤ２）に基づく第２の判定と同じ演算や比較処理を行う。したがって、情報処理部５７ｂが、第１の判定部６０ｂの判定処理を判定部５７ｂに行わせれば、第１の判定部６０ｂは不要になる。
【０１７９】
なお、再生条件情報（ＰＲ１、ＳＲ１、ＴＲ１）や消去条件情報（ＰＥ１、ＳＥ１、ＴＥ１）と電話識別情報（ＴＮ１）は、サービス制御装置２０宛を介して電話端末５０ｂに送信する代わりに、サービス制御装置２０宛を介さず、電話端末５０ｂ宛に送信してもよい。
【０１８０】
図１８では、メッセージ・制御情報格納部と第３の判定部を電話端末５０ｂだけに設けたが、電話端末５０ａの方が受信側になる場合もあり得る。この場合は、電話端末５０ａも電話端末５０ｂと同様の構成にすることにより実現することができる。
【０１８１】
なお、本実施の形態においても、上述した第２の実施の形態のように、電話端末５０ｂが、自身における再生条件と消去条件の選択、設定を行うようにしてもよい。
【０１８２】
また、第１の判定部６０ｂと判定部５７ｂは、同じ動作を行うので、１つでもよい。しかしながら、電話端末５０ａに関する端末状態情報、再生条件情報、消去条件情報による第１の判定を行う場合は、第１の判定部６０ｂになり、電話端末５０ｂに関する端末状態情報、再生条件情報、消去条件情報による第２の判定を行う場合は、判定部５７ｂとして動作するので、第１の判定部６０ｂと判定部５７ｂを兼ねていることになり、実質的に、第１の判定部６０ｂと判定部５７ｂが存在すると言うことができる。
【０１８３】
以上説明したように、本実施の形態によれば、発信側や受信側の状態の変化に合わせて、留守番メッセージの再生や消去を行うことができる。また、本実施の形態によれば、留守番メッセージを第２の電話端末内に格納するので、迅速に留守番メッセージの再生ができる。
【０１８４】
［第６の実施の形態］
次に、本発明の第６の実施の形態について、詳細に説明する。なお、本実施の形態において、第１〜第５の実施の形態と同等の構成要素については、同じ名称および符号を付し、適宜説明を省略する。
【０１８５】
図１９に示すように、本実施の形態に係る留守番電話制御システムは、ＩＰ電話とＩＰ電話回線に留守番電話制御システムを導入したものであり、サービス制御装置２０と、このサービス制御装置２０と通信が可能なＳＩＰサーバ９０と、インターネット網１００を介してＳＩＰサーバに接続される電話端末５０ａ，５０ｂとを備えている。
【０１８６】
ここで、電話端末５０ａと電話端末５０ｂは、ＩＰ電話であり、インターネット網に接続されている。ＳＩＰサーバ９０は、ＩＰ電話加入者データを元に通信を制御する加入者系呼制御サーバであり、加入者交換機に相当するものとして設けられ、図示しないが、ＩＰ電話と他のＩＰネットワークとの通信を制御する中継系呼処理サーバ（ＣＡサーバ）が中継系呼制御サーバで中継交換機に相当するものとして設けられる。これらを連携させる呼処理サーバ（ＳＩＰ連携サーバ）が用いられることもある。これらのサーバの内部あるいは近傍のいずれかには、課金処理などの制御を行うサービス制御サーバが設けられる。これらのサーバは、ＩＰ電話サービスを提供するインターネットサービスプロバイダ（ＩＳＰ）が通常設置されている。図１９では、上述した各実施の形態で説明した情報処理部２１、送受信部２２、情報格納部２３、判定部２４、メッセージ・制御情報格納部２５を備えたサービス制御装置２０が、ＳＰＩサーバ９０に接続される。サービス制御装置２０は、中継系呼処理サーバ（ＣＡサーバ）、呼処理サーバ（ＳＩＰ連携サーバ）、サービス制御サーバのいずれかに接続してもよいし、インターネット網を介して接続してもよい。
【０１８７】
図２０に示すように、ＩＰ電話からなる電話端末５０ａは、図２に示した電話端末５０ａに、ＶｏＩＰアダプタ６１ａおよびＡＤＳＬモデム６２ａが追加される。
【０１８８】
ＶｏＩＰアダプタ６１ａは、電話部５１ａのアナログ音声電話の送信信号をデジタル化し、ダイヤル信号などの制御信号をＩＰ電話のフォーマットに変換してＡＤＳＬモデム６２ａに供給し、ＩＰ電話フォーマットのデジタル信号をアナログ電話のフォーマットに逆変換して電話部５１ａに供給する機能を有する回路装置である。
【０１８９】
ＡＤＳＬモデム６２ａは、ＶｏＩＰアダプタ６１ａの出力信号を加入者電話回線に重畳されるＡＤＳＬ回線を介してインターネット網に送信し、インターネット網からの信号をＡＤＳＬ回線経由で受信し、復調してＩＰ電話フォーマットのデジタル信号をＶｏＩＰアダプタ６１ａに供給する回路装置である。情報処理部５６ａが生成する上述した各種の情報を搭載した電文は、ＡＤＳＬモデム６２ａに供給され、変調されて、ＡＤＳＬ回線に送出される。サービス制御装置２０や電話端末５０ｂなどが生成しＩＰ電話端末５０ａ宛に送信する電文は、ＡＤＳＬ回線経由でＡＤＳＬモデム６２ａにより受信され復調されて、情報処理部５６ａに供給される。したがって、ＡＤＳＬモデム６２ａは、図１の送受信部５２ａに相当する。なお、ＡＤＳＬモデム６２ａの代わりに、光ファイバ回線との間で送受信する機能を有する回線終端装置を使用するようにしてもよい。
【０１９０】
なお、図２１に示すように、電話端末５０ａは、音声通話チャネルとして固定電話のアナログ加入者用回線を使用するようにしてもよい。この場合、図２に示す電話端末５０ａに、ＡＤＳＬモデム６２ａを追加する。電話部５１ａは、通常家庭内などで広く使用されているアナログ音声電話であるが、情報処理部５６ａの制御に従い、通話相手の電話番号などを設定するようなものでもよい。送受信部６３ａは、電話部５１ａが生成するアナログ音声電話の音声信号やダイヤル音信号を、一般加入者用の電話回線に送信し、通話相手の音声信号などを受信し、情報処理部５６ａを介して電話部５１ａに送る。一方、ＡＤＳＬモデム６２ａは、情報処理部５６ａが生成する上記各種の電文を変調して、ＡＤＳＬ回線に送出する。また、サービス制御装置２０や電話端末５０ｂなどが生成し電話端末５０ａ宛に送信する電文は、ＡＤＳＬ回線経由でＡＤＳＬモデム６２ａにより受信され復調されて、情報処理部５６ａに供給される。ＡＤＳＬモデム６２ａを使用する場合、ＡＤＳＬ信号は、音声電話部６０ａが接続される加入者電話回線のアナログ音声信号上に重畳される。したがって、電話交換機への出力線とＡＤＳＬ回線への出力線は、物理的には１本化される。なお、ＡＤＳＬモデム６２ａの代わりに、光ファイバ回線との間で送受信する機能を有する回線終端装置を使用することもできる。この場合は、アナログの音声通話チャネルと上記各電文を通信する通信路とは、別々に設置されていることになる。
【０１９１】
以上説明したように、本実施の形態によれば、ＩＰ電話とＩＰ電話回線に留守番電話制御システムを導入した場合であっても、上述した各実施の形態と同等の作用効果を得ることができる。
【０１９２】
（その他）
以上説明した第１〜第６の実施の形態は、互いに差異があるものの、動作や処理には共通の関係がある。何れの実施の形態も、以下のような処理手順により構成される。なお、以下に説明する事項は、基本的に第１〜第６の実施の形態に適用される。
【０１９３】
（１）再生条件情報（ＰＲ１、ＳＲ１、ＴＲ１、ＰＲ２、ＳＲ２、ＴＲ２）や消去条件情報（ＰＥ１、ＳＥ１、ＴＥ１、ＰＥ２、ＳＥ２、ＴＥ２）を、電話端末５０ａにおいて、または電話端末５０ａと電話端末５０ｂにおいて選択、設定させる。メッセージ情報（ＭＣ）を電話端末５０ａにおいて生成させ、メッセージ情報（ＭＣ）を格納する装置に移動し格納させる。
【０１９４】
（２）再生条件情報や消去条件情報を、第１の判定部、第２の判定部を備える装置に移動させ、格納させる。
【０１９５】
（３）第１の判定、第２の判定の結果を、第３の判定部を備える装置に移動させる。
【０１９６】
（４）第３の判定を行う装置は、判定結果に従い、メッセージ情報（ＭＣ）を格納している装置内のメッセージ情報（ＭＣ）を、電話端末５０ｂにおいて再生させる、あるいは、メッセージ情報（ＭＣ）を消去させる。
【０１９７】
なお、上述した情報の移動は、同一装置内での移動と、異なる装置への移動があり得る。後者の場合は、装置間の情報通信となる。
【０１９８】
以上説明したように、本発明に係る留守番電話制御システムは、処理手順としてみれば、各情報の生成処理と、第１、第２、第３の判定処理と、判定結果に基づくメッセージ情報（ＭＣ）の再生処理または消去処理により構成される。第１、第２、第３の判定部と、メッセージ情報（ＭＣ）の格納部が、それぞれ、電話端末５０ａ、５０ｂ、サービス制御装置２０の何処に設置してあっても、上記（１）〜（４）の動作および処理を行うことができる。したがって、本発明に係る留守番電話制御システムは、第１〜第６の実施の形態の構成以外の構成であってもよいことになる。すなわち、第１、第２、第３の判定部とメッセージ情報（ＭＣ）の格納部は、それぞれ、電話端末５０ａ、５０ｂ、サービス制御装置２０の何処に設けてもよい。
【０１９９】
また、第１〜第６の実施の形態において説明したように、電話端末５０ａ、５０ｂ、サービス制御装置２０の間の各種制御情報の送信については、図４に示すメッセージ・制御情報表の全情報欄について格納欄を生成して、生成した情報を格納して送信してもよいが、生成した情報だけを電話識別情報（ＴＮ１）、（ＴＮ２）の一方または両方を付して送信することにより、データ量を少なくすることができる。
【０２００】
また、第１〜第６の実施の形態において、再生条件情報（ＰＲ１、ＳＲ１、ＴＲ１、ＰＲ２、ＳＲ２、ＴＲ２）、消去条件情報（ＰＥ１、ＳＥ１、ＴＥ１、ＰＥ２、ＳＥ２、ＴＥ２）、端末状態情報（Ｘ１，Ｙ１、ＳＤ１、ＴＤ１、Ｘ２，Ｙ２、ＳＤ２、ＴＤ２）、再生可否情報（ＰＲｐ１、ＳＲｐ１、ＴＲｐ１、ＰＲｐ２、ＳＲｐ２、ＴＲｐ２）、消去可否情報（ＰＥｐ１、ＳＥｐ１、ＴＥｐ１、ＰＥｐ２、ＳＥｐ２、ＴＥｐ２）の生成や送信に関しては、それぞれ全部でなく、再生と消去の一方若しくは両方、または、各情報のうちのいずれかまたは全部でよい。これは、再生と消去の両方について必ず生成されるとは限らず、また、条件設定されるメニューの項目は全部とは限らず、一般的には、１つまたは数個の場合が多いため、いずれかまたは全部でよいこととなる。設定されない条件について非選択＝［０］とする場合は、形式上は全部が送信されることになる。
【０２０１】
電話端末５０ａ、５０ｂは、サービス制御装置２０などから端末状態情報について問い合わせを受けた場合、または、端末状態が変化した場合に、情報処理部５６ａ、５６ｂによりそれぞれの端末状態情報を生成するようにしてもよい。
【０２０２】
電話端末５０ａまたは電話端末５０ｂは、サービス制御装置２０などから第１または第２の判定について問い合わせを受けた場合に、それぞれ第１または第２の判定を行い、判定結果である再生可否情報と消去可否情報などを送信するようにしてもよい。
【０２０３】
電話端末５０ａまたは電話端末５０ｂは、第１または第２の判定を行って、判定結果が変化した場合に、判定結果である再生可否情報と消去可否情報などを送信するようにしてもよい。
【０２０４】
位置コード（ＰＲ１）＝（Ａｒ，Ｘｄ，Ｙｄ）の生成には、所望の位置の経度、緯度情報のような座標データが必要になる。座標データを調べて数値を入力する方法は、一番基本的であるが、その作業が煩わしい。電話端末５０ａ、５０ｂの内部に電話帳を設け座標データを予め登録しておき、この座標データを（Ｘｄ，Ｙｄ）として使用するようにしてもよい。また、カーナビゲーションシステムなどの技術を用いて地図とＧＰＳデータ表現の座標データを扱う場合、カーナビゲーション装置に電話端末５０ａ、５０ｂを接続し、この座標データを条件情報生成部５３ａ、５３ｂが取得するようにしてもよい。また、居酒屋や書店のサービスとして、その店に居るときに、ＩＣタグ（ＲＦＩＤ）から店の電話番号や座標データを携帯の電話端末５０ａ、５０ｂの電話帳に取得できるようにしてもよい。頻繁に使用する店舗については、この方法で予め電話帳登録をしておくことにより、位置コード（ＰＲ１）＝（Ａｒ，Ｘｄ，Ｙｄ）の生成が簡単になり、使い勝手を向上させることができる。
【０２０５】
上述したような日時指定再生・消去サービス以外に、再生条件情報と消去条件情報としては、時間帯情報（開始時刻Ｔｘｉ、終了時刻Ｔｙｉ）を使用し、端末状態情報としては、電話端末５０ａ、５０ｂなどの内部時計の時刻データを使用することにより、再生条件情報と消去条件情報が定義する時間帯に、再生や消去をさせることが可能になる。
【０２０６】
上述した電話端末５０ａに含まれる条件情報生成部５３ａ、端末情報生成部５４ａ、情報格納部５５ａ、情報処理部５６ａおよび判定部５７ａは、携帯電話機や家庭用の電話機などの筐体内に組み込んだり、外付けのアダプタ形式としたりするようにしてもよい。また、条件情報生成部５３ａ、端末情報生成部５４ａ、情報処理部５６ａ、判定部５７ａの処理手順をパソコンのプログラムによりパソコン内に実装し、情報格納部５５ａとしてはパソコンの記憶装置を使用し、条件情報生成部５３ａの操作手段は、パソコンのキーボードやマウス、表示手段はパソコンの液晶ディスプレイとするようにしてもよい。電話部５１ａについては、パソコン用の電話アダプタを使用するようにしてもよい。
【０２０７】
上述した再生条件情報と消去条件情報は、ＧＰＳ緯度経度データのように、大小の大きさを有するデータであってもよいし、再生条件コードおよび消去条件コードのように再生条件および消去条件を選択する符号データであってもよい。
【０２０８】
情報処理部５６ａが再生条件情報と消去条件情報を生成するとは、図５、図６を参照して説明したように、再生条件情報と消去条件情報を情報格納部５５ａなどに格納してある複数の再生条件情報と消去条件情報から選択すること、使用者が、条件情報生成部５３ａの操作手段や表示手段を使用して再生条件情報と消去条件情報を数値や符号として直接的に入力すること、メモリカードなどの記録媒体から入力することなどを含む概念である。
【０２０９】
情報処理部５６ａが端末情報生成部５４ａに端末状態情報を生成させるとは、ＧＳＰ受信機のように電話端末５０ａ内部の特定の部分が供給する情報を検知して、その検知情報を端末状態情報とする、または、その検知情報を元に端末状態情報に変換することを含む。また、電話端末５０ａに他の装置が接続されており、その装置の状態に関する状態情報が端末情報生成部５４ａに供給されている場合に、情報処理部５６ａが、その状態情報を検知して、その検知情報を端末状態情報とする、または、その検知情報を元に端末状態情報に変換することなどを含む概念である。
【０２１０】
図３、図４、図１２に示したメッセージ・制御情報表は、一例であって、他の形式でもよい。表内の各情報やデータの配列が分るようにする方法は種々知られており、それらの方法を適宜自由に適用することができる。これらの表を上述した各種電文に搭載して送信する形式についても、各種形式を適宜自由に用いることができる。電文上において、デジタル情報は、通常、時間的に直列に並べられて送信されるが、多数の情報の配列が判るように送信する方法は種々知られており、それらの方法を適用することもできる。
【０２１１】
上述した電話端末５０ａ、５０ｂが備える情報処理部５６ａ、５６ｂ、判定部５７ａ、６０ｂ、判定部５７ｂおよび第３の判定部５９ａは、通常、ＭＰＵやメモリ等から実現され得る。情報処理部５６ａ、５６ｂが図７、図９、図１１、図１５、図１６、図１７のフローチャートなどに従って行う各種の情報や表の生成や更新、電話端末５０ａ、５０ｂにおける第１、第２、第３の判定の処理手順は、通常、ソフトウェアで実現され、当該ソフトウェアはＲＯＭ等の記録媒体に記録されている。なお、ハードウェア（専用回路）で実現するようにしてもよい。情報格納部５５ａ、５５ｂとメッセージ・制御情報格納部５８ｂは、不揮発性の記録媒体が好適であるが、揮発性の記録媒体でも実現することができる。情報処理部５６ａ、判定部５７ａは、上述したのと共通のＭＰＵやメモリ上で実現してもよい。また、情報処理部５６ｂ、第１の判定部６０ｂ、判定部５７ｂおよび第３の判定部５９ｂは、別の共通のＭＰＵやメモリ上で実現してもよい。
【０２１２】
上述したサービス制御装置２０が備える情報処理部２１と判定部２４は、通常、ＭＰＵやメモリ等により実現される。情報処理部２１が、図８、図１０、図１４のフローチャートなどに従って行う各種の表の生成や更新や第３の判定の処理手順は、通常、ソフトウェアで実現され、当該ソフトウェアはＲＯＭ等の記録媒体に記録されている。但し、ハードウェア（専用回路）で実現するようにしてもよい。情報処理部２１と判定部２４は、ＭＰＵやメモリ等からなる単一のコンピュータシステムでもよい。また、サービス制御装置２０は、サーバ装置でもよい。
【０２１３】
情報格納部２３とメッセージ・制御情報格納部２５は、情報処理部２１の外付けの記録媒体や内蔵の記録媒体から構成されるようにしてもよい。また、当該記録媒体は、不揮発性の記録媒体が好適であるが、揮発性の記録媒体でも実現することができる。また、メッセージ・制御情報格納部２５は、多数の電話端末からのメッセージ・制御情報表を格納するサーバ装置でもよい。
【０２１４】
また、上述した各実施の形態において、各処理（各機能）は、単一の装置（システム）によって集中処理されることによって実現されるようにしてもよく、または、複数の装置によって分散処理されることによって実現されるようにしてもよい。
【０２１５】
また、プログラムを実行するコンピュータは、単数であってもよく、複数であってもよい。すなわち、集中処理を行ってもよく、または分散処理を行ってもよい。
【０２１６】
また、本発明は、上述した実施の形態に限定されることなく、実施の形態の構成や再生条件情報と消去条件情報、端末状態情報、などの情報の内容、情報の表現形式、上記各情報を送信する際の電文の内容や表現形式、フローチャートの手順について、種々の変更が可能であり、それらも本発明の範囲内に包含されるものであることは言うまでもない。
【産業上の利用可能性】
【０２１７】
本発明にかかる留守番電話制御システムは、一般加入者電話回線、携帯電話ネットワーク、ＩＰ電話ネットワーク、種々の施設の構内電話回線の留守番電話制御システムに適用することができる。
【図面の簡単な説明】
【０２１８】
【図１】本発明に係る留守番電話制御システムの構成を模式的に示す図である。
【図２】本発明の第１の実施の形態における留守番電話制御システムを構成する各装置の構成を模式的に示す図である。
【図３】留守番電話制御情報の一覧表を模式的に示す図である。
【図４】メッセージ・制御情報表を模式的に示す図である。
【図５】再生サービスメニューと詳細メニューの一例を示す図である。
【図６】消去サービスメニューと詳細メニューの一例を示す図である。
【図７】電話端末５０ａにより自身および受信側の電話端末に課する再生条件または消去条件を選択および設定する手順を示すフローチャートである。
【図８】サービス制御装置２０によるメッセージ・制御情報表の登録処理手順を示すフローチャートである。
【図９】登録された再生条件や消去条件が満足されたか否かを判定する手順を示すフローチャートである。
【図１０】サービス制御装置２０における留守番メッセージの再生動作および消去動作を示すフローチャートである。
【図１１】電話端末５０ｂにおける留守番メッセージの再生動作を示すフローチャートである。
【図１２】第３の実施の形態に係る留守番電話制御システムの構成を模式的に示す図である。
【図１３】第４の実施の形態に係る留守番電話制御システムの構成を模式的に示す図である。
【図１４】発信側の電話端末における再生条件および消去条件の登録動作を示すフローチャートである。
【図１５】着信側の電話端末における再生条件および消去条件の登録動作を示すフローチャートである。
【図１６】発信側の電話端末における再生条件および消去条件の判定動作を示すフローチャートである。
【図１７】着信側の電話端末における再生条件および消去条件の判定動作を示すフローチャートである。
【図１８】第５の実施の形態に係る留守番電話制御システムの構成を模式的に示す図である。
【図１９】第６の実施の形態に係る留守番電話制御システムの構成を模式的に示す図である。
【図２０】第６の実施の形態における電話端末の構成を模式的に示す図である。
【図２１】第６の実施の形態における電話端末の構成を模式的に示す図である。
【符号の説明】
【０２１９】
１…交換機ネットワーク、１０…交換機、２０…サービス制御装置、２１…情報処理部、２２…送受信部、２３…情報格納部、２４…判定部、２５…メッセージ・制御情報格納部、２６…第１の判定部、２７…第２の判定部、３０…音声装置、５０ａ，５０ｂ…電話端末、５１ａ，５１ｂ…電話部、５２ａ，５２ｂ…送受信部、５３ａ，５３ｂ…条件情報生成部、５４ａ，５４ｂ…端末情報生成部、５５ａ，５５ｂ…情報格納部、５６ａ，５６ｂ…情報処理部、５７ａ，５７ｂ…判定部、５８ｂ…メッセージ・制御情報格納部、５９ｂ…第３の判定部、６０ｂ…第１の判定部、６１ａ…ＶｏＩＰアダプタ、６２ａ…ＡＤＳＬモデム、６３ａ…送受信部、９０…ＳＩＰサーバ、１００…インターネット網。
【図１】
2009246647.tif 000003
【図２】
2009246647.tif 000004
【図３】
2009246647.tif 000005
【図４】
2009246647.tif 000006
【図５】
2009246647.tif 000007
【図６】
2009246647.tif 000008
【図７】
2009246647.tif 000009
【図８】
2009246647.tif 000010
【図９】
2009246647.tif 000011
【図１０】
2009246647.tif 000012
【図１１】
2009246647.tif 000013
【図１２】
2009246647.tif 000014
【図１３】
2009246647.tif 000015
【図１４】
2009246647.tif 000016
【図１５】
2009246647.tif 000017
【図１６】
2009246647.tif 000018
【図１７】
2009246647.tif 000019
【図１８】
2009246647.tif 000020
【図１９】
2009246647.tif 000021
【図２０】
2009246647.tif 000022
【図２１】
2009246647.tif 000023